(57)【特許請求の範囲】
【請求項１】
一の触媒ピ−スを構成する触媒群のうち最も外方に配設された一部の触媒群を除いた他の触媒群が配設された配設領域より若干広い外形形状であって他の触媒群を構成する多数の触媒の配設間隔と同一間隔で且つ配設数と同数のノズル取付穴が穿設された投射区画部位と該投射区画部位の外側端から前記一部の触媒群と対面可能な位置より更に若干外方まで延伸されて形成された連結部位からなる投射部材と、多数のノズル取付穴それぞれに脱着可能に装着された多数の差込ノズルとからなる投射手段と、該投射手段の流入側と同一形状に形成され、前記差込ノズルの内径と略同一内径の流動調整穴が前記ノズル取付穴と同一間隔にて同数穿設され、流出側が該連結部位の流入側と連結された過大摩耗阻止・流動調整手段と、流出側に該過大摩耗阻止・流動調整手段の流入側の開口と同一開口形状に形成された流出口が設けられ流入側が圧送配管と略同形であって、流動断面積が流入側から流出側に向けて漸次広くなるように形成され、流出側が過大摩耗阻止・流動調整手段の流入側と連結されたケ−シング部材と、該ケ−シング部材の流入側の流入中心軸に対して振り子状に回動自在な軸受部材を介して該ケ−シング部材の流入側に支持された研磨材導入部材と、からなる投網状拡散流動構造の研磨材供給手段と、から構成されていることを特徴とする劣化触媒再生用の投射装置。
【請求項２】
請求項１に記載の多数の差込ノズルそれぞれの長さが触媒の損傷程度に応じて異なることを特徴とする請求項１に記載の劣化触媒再生用の投射装置。
【請求項３】
請求項１に記載の投網状拡散流動構造の研磨材供給手段に代え、請求項１に記載のケ−シング部材と、流入側から流出側に向けて流入中心軸に対して放射状に配設された複数の導入穴が設けられ、ケ−シング部材の流入側と固定軸受部材を介して支持された研磨材導入部材と、からなる投網状拡散流動構造の研磨材供給手段を構成要素としたことを特徴とする請求項１又は請求項２に記載の劣化触媒再生用の投射装置。
【請求項４】
請求項１に記載の投網状拡散流動構造の研磨材供給手段に代えて、流出側に請求項１に記載の過大摩耗阻止・流動調整手段の流入側の開口と同一開口形状に形成された流出口が流入側に通過穴が側面側に一側流入口がそれぞれ設けられ流出側が請求項１に記載の過大摩耗阻止・流動調整手段の流入側と連結された多角形箱状ケ−シング部材と、流出側が前記通過穴と連通なさしめて該多角形箱状ケ−シング部材の流入側と連結され流入中心軸が周壁上の一個所での接線と平行となさしめて他側流入口が周壁に設けられた円筒形ケ−シング部材と、一側流入口と連通なさしめて多角形箱状ケ−シング部材の側面に取付られた一側導入部材と、他側流入口と連通なさしめて円筒形ケ−シング部材の周壁に取付られた他側導入部材と、からなる研磨材群の乱流拡散流動構造の研磨材供給手段を構成要素としたことを特徴とする請求項１又は請求項２に記載の劣化触媒再生用の投射装置。
【請求項５】
請求項１に記載の投網状拡散流動構造の研磨材供給手段に代えて、流出側に請求項１に記載の過大磨耗阻止・流動調整手段の流入側の開口と同一開口形状に形成された流出口が流入側に通過穴が側面側に一側流入口がそれぞれ設けられ流出側が請求項１に記載の過大摩耗阻止・流動調整手段の流入側と連結されるとともに内壁に多数の破砕・飛散誘導部材が密集して設けられた多角形箱状ケ−シング部材と、請求項４に記載の円筒形ケ−シング部材と、請求項４に記載の一側導入部材と、請求項４に記載の他側導入部材と、からなる破砕研磨材粒群の乱流拡散流動構造の研磨材供給手段を構成要素としたことを特徴とする請求項１又は請求項２に記載の劣化触媒再生用の投射装置。
【請求項６】
投射側が一の触媒ピ−スの上面面積より小さい面積の平面状に形成され流入側が中心部を厚肉に周辺部を薄肉にして傾斜面をつけて形成されるとともに流入側と投射側間を貫いて多数の狭小投射穴が穿設された投射区画部位と、該投射区画部位の外側端から外方に若干延伸なさしめて設けられた連結部位からなる投射手段と、流出側に該投射手段の流入側の開口と同一開口形状に形成された流出口が設けられ、流入側が圧送配管と略同形であって流動断面積が流入側から流出側に向けて漸次広くなるように形成され、連結部位を介して投射手段の流入側と連結されたケ−シング部材と、請求項１に記載の研磨材導入部材又は請求項３に記載の研磨材導入部材とからなる投網状拡散流動構造の研磨材供給手段と、から構成されていることを特徴とする劣化触媒再生用の投射装置。
【発明の詳細な説明】
【０００１】
【発明の属する技術分野】
本発明は、触媒パックを排煙脱硝装置内に設置したままで迅速に劣化した触媒機能の再生工事の施工を可能ならしめる劣化触媒再生用の投射装置に関する。
【０００２】
【従来の技術】
国際的にみて我が国の電気料金が割高であって、産業界の国際競争力強化を図る上で重要な問題点であることが、近年とみにクロ−ズアップされており、電力会社に対する電気料金の値下げ要求は声高なものとなっている。係る社会的状況から、火力発電所では、燃料コストが最も安い海外で採取された石炭を発電用燃料として採用し、この石炭を微粉状に粉砕して燃焼させ、必要な発電エネルギ−を得る機運にある。そして、このような火力発電所では、公害防止の観点から排煙脱硝装置が設置されているが、該排煙脱硝装置には、多数の触媒ピ−スが内蔵された触媒パックが各階層に一定間隔にて多数配置されている。
【０００３】
ところで、排煙脱硝装置は、高価な設備であるので、内蔵された触媒が長期間にわたり安定した高脱硝率の触媒機能を発揮することか設備費低減を図る上で望ましいことから、従来から、新しい触媒に取り換える時期を極力先延ばしすべく、一定期間の使用により触媒機能が劣化した触媒を再生する技術開発がなされており、例えば、特開昭５８−１５０４３９号公報、特開昭６１−２６３６４６号公報、特公平７−１４４８６号公報にそれぞれ提案された技術がある。
【０００４】
特開昭５８−１５０４３９号公報に開示された提案は、活性体表面に近い極く僅かな層に集中するアッシュ等による活性体部の細孔の目詰まり部、及び被毒物質堆積部を削り落として触媒の性能を回復させるべく、所定の断面形状を備えたガス通路を有する平行流式触媒を内蔵したガス処理装置において、触媒のガス通路の端面に対向して設置されたス−ツブロ−ノズルからガス体と粉体とを同時に噴射して触媒表面に付着している触媒被毒物質を強制的に摩耗させて除去するものである。
【０００５】
また、特開昭６１−２６３６４６号公報に開示された提案は、石炭焚ガスに含まれるカルシウム成分が、触媒の表面にコ−ティングしたものを除去して触媒性能を再生し、触媒の寿命を長期化することを目的としたものであって、触媒パックの下方位置に設けられた下部ホッパ−の流入口近くに配設された流動化空気入口弁から空気を導入して下部ホッパ−中を触媒パック側に流通させ、この後、下部ホッパ−の上方位置にて研磨材を供給し摩耗材とともに空気を更に触媒パック側に流動化させる手段を講じることにより、脱硝性能の低下（触媒機能の低下）した触媒の表面に流動化させた摩耗材を接触させ、触媒表面に付着している触媒被毒物質を除去する提案である。
【０００６】
更に、特公平７−１４４８６号公報に開示された提案は、劣化触媒表面の上面の摩耗防止を図りながら、触媒表面（側面）を研削除去することにより、触媒強度に実用上の支障なく、効率よく触媒機能の再生を行うことを目的としたものであって、予め劣化触媒の上面に触媒端面保護多孔体を取り付けた後、触媒および触媒端面保護多孔体を密閉容器内に収納し、この密閉容器の下部にサイクロン、フィルタ−を介してブロアを接続し、密閉容器の上部に設けられた定量供給機から珪砂を空気流に乗せて密閉容器内の触媒内に導入する手段を講じることにより、流動する珪砂により触媒孔内表面に付着している触媒被毒物質を研削して除去することにより多数の筒状、ハニカム状または多数の板状に形成された劣化触媒の触媒機能の再生をはかる提案である。
【０００７】
【発明が解決しようとする課題】
ところで、排煙脱硝装置（特開昭５８−１５０４３９号公報に開示するガス処理装置に相当する。）は、限られた設置スペ−スに多数の触媒ピ−スを内蔵する触媒パック（特公平７−１４４８６号公報に開示する密閉容器に相当する。）を極力多数設置すべく、一定間隔で所定の位置に密集した状態でそれぞれ設置されている。このため、同一階層で隣接する触媒パック間の同一階層隙間空間、上階層と下階層間で隣接する触媒パック間の上下階間隙間空間は共に極めて狭く（成人が腰をかがめて出入り出来る程度の空間）、また、これら多数の触媒パック等の重量を支えるため、多数の柱部材や梁部材等の構造部材か所定の位置に配設された構造となっている。
【０００８】
しかるに、特開昭５８−１５０４３９号公報が開示する提案であるス−ツブロ−ノズルを触媒のガス通路の端面に対向して設置すること、特開昭６１−２６３６４６号公報が開示する提案を実現する前提となる触媒パックの下方位置に下部ホッパ−を設ける手段を講じること、特公平７−１４４８６号公報が開示する提案を実現する前提となる密閉容器の下部にサイクロン、フィルタを介してブロアを接続すること、及び密閉容器の上部に定量供給機を設ける手段を講じることは、前記した排煙脱硝装置の構造から、これら手段が、狭い同一階層隙間空間や上下階層隙間空間に設置できないことと柱部材や梁部材と接触する等から、触媒パックを排煙脱硝装置内に密集状態で所定の位置に設置したままで、これら手段を講じることは不可能である。
【０００９】
このため、排煙脱硝装置内に触媒パックを設置したままで触媒再生工事を施工することができず、排煙脱硝装置から多数の触媒パックそれぞれを再生工事を実施する毎に逐次取り出して所定の触媒機能の再生工事をなし、再生完了後に再度元の設置位置に戻すといった作業を反復実行せねばならない。
【００１０】
また、前記した各提案は、通常の所要動力の圧送手段（ブロア−等）による圧送力により、空気とともに研磨材を、一の触媒バックの上面側に単に圧送流動なさしめた後、圧送圧の作用を受けるにまかせて、一の触媒パックを構成する全ての触媒ピ−スそれぞれに対して投射するものであるが、係る投射では、投射方向に流動する空気の圧送圧や流動速度が投射空間全域で等しくないため、各触媒ピ−スそれぞれに対する単位時間当たりの研磨材の投射量にバラツキが大きくなる。
【００１１】
このため、単位時間当たりの研磨材の投射量が過大に投射された触媒ピ−スは、研磨材が触媒壁に付着した触媒被毒物質を除去する作用をなす前に、触媒穴入り口付近が短時間に大きな摩耗力を受けて損傷してしまう。この一方、単位時間当たりの研磨材の投射量が過小に投射された触媒ピ−スでは、触媒壁に付着した触媒被毒物質を除去する作用をなす研磨材の単位時間当たりの量が不足することから、触媒壁に付着した触媒被毒物質を除去するのに長時間を要したり除去漏れが生じる。
【００１２】
係る投射・除去状況となるので、単位時間当たりの研磨材が過大に投射される状況を考慮して投射時間を短く設定すると、一の触媒パックを構成する一部の触媒グル−プに触媒被毒物質の除去残しが生じ触媒機能の再生ができない事態となる。また、単位時間当たりの研磨材が過小に投射される状況を考慮して投射時間を長めに設定すると、前記した理由から一の触媒パックを構成する一部の触媒グル−プが損傷する事態となる。
【００１３】
このような事態を回避しながら一の触媒バックを構成する全ての触媒を損傷することなく付着した触媒被毒物質を除去しようとすれば、研磨材が投射された触媒の状況を観察しながら投射時間を細かく調整する必要があり、非常に手間のかかる触媒再生工事とならざるを得ない。
【００１４】
また、通常の所要動力のブロア−等による圧送力により、空気とともに研磨材を、圧送力のみに依存して一の触媒パックを構成する全ての触媒ピ−スに対して分散投射するため、各触媒ピ−スに対する研磨材の貫徹力が弱まる。このため、触媒内に流入当初での断面積急減に伴う流動速度向上の効果があるものの、各触媒ピ−スを構成する多数の各触媒内を空気とともに流動する研磨材の流動速度の高速化は望めず、触媒表面を研磨する作用力の向上には一定の限界があり、一の触媒パックに内蔵された全ての劣化した触媒の触媒機能の再生に時間がかかる。
【００１５】
前記したように非常に手間がかかるとともに劣化した触媒機能の再生に時間がかかることから、排煙脱硝装置に対する触媒機能の再生工事期間の長期化が避けられず、劣化触媒の再生工事をなすことを最初から放棄し、新品の触媒パックを手当てする方策を採用するほうが全体としてコスト減となる程、再生工事費用が膨大となる。また、長期にわたる再生工事間に遭遇する可能性が高まる降雨により、触媒パックに水分が降りかかると、触媒機能自体が毀損され、以降使用不能な事態を招く危険性も高い。
【００１６】
さらに、特公平７−１４４８６号公報に開示している触媒再生をなす前に劣化触媒の上方端面に触媒保護多孔体を取り付け、研磨材を空気とともに流入する初期段階での過大な摩耗を阻止する提案がなされているが、一般に触媒機能が劣化するまで触媒パックを脱硝に使用すると、内蔵された大部分の触媒の上方端面は一部が破損しており、しかも破損の程度と状態は触媒毎に相違している。
【００１７】
このため、上方位置から一定長さの触媒保護多孔体を一律に触媒の上方端面に取り付けても、空気とともに流動する研磨材の流動拡散開始位置が、どの触媒についても触媒保護多孔体の下端であるので、流動拡散した研磨材が、より一層脱硝に伴う破損が激しい隣接する触媒に衝突して摩耗損傷を生じさせてしまい、触媒保護多孔体を触媒の上方端面に取り付けた目的が果たせないことになる。
【００１８】
以上説明した如く、従来の前記した各提案では、排煙脱硝装置内に設置された多数の触媒パックそれぞれに内蔵され一定期間の使用により触媒機能か低下した多数の触媒ピ−スを、火力発電所の運転計画に対応なさしめて経済的に触媒機能を再生することが事実上不可能であって、新品の触媒パックに取り替えるしか方策がなかった。
【００１９】
本発明は、前記した事情に鑑み、触媒パックを排煙脱硝装置に設置したままで劣化触媒の再生工事の施工が可能であって、しかも、短時間で劣化した触媒の触媒機能を確実に再生なさしめ得る、劣化触媒再生用の投射装置を提供することを目的とする。
【００２０】
【課題を解決するための手段】
請求項１に記載の発明は、下記二つの解決手段により係る目的を達成することとしたものてある。第一の解決手段は、一の触媒パックの触媒機能を再生する工事をなすにあたり、一の触媒パックを構成する多数の触媒ピ−スそれぞれ毎に劣化触媒の触媒機能の再生工事をなすとともに、個々の触媒ピ−ス毎に再生工事をなす際に、空気とともに研磨材を、個々の触媒ピ−スを構成する多数の触媒に向けて強制的に投射に好適な拡散流動をなさしめる施工方策としたものである。
【００２１】
即ち、触媒パックの上面から極めて近い位置を、圧送流動から投網状拡散流動転換位置とし、該転換位置から空気とともに研磨材が一の触媒ピ−スに向けて投網状に流動し得る投射構造として、一の触媒ピ−スを構成する多数の各触媒それぞれに対する研磨材の単位時間当たり投射量のバラツキを最小化するとともに投射装置全体をコンパクト化して、触媒パックを排煙脱硝装置に設置したままで、排煙脱硝装置内で作業者が所定の劣化触媒の再生作業ができるようにしたものである。
【００２２】
また、第二の解決手段は、流動断面積の急減により運動量急増状態となり、物体と接触すると強固に摩擦力を作用する状態にある時点の研磨材が、触媒に直接接触させないように、流動断面積が急減する流動挙動となるのを投射経路の当初に設定し、投射経路の中間経路で流動速度が加速され一方向にのみ整然と流動する状態となさしめ、研磨材を含む加圧空気がノズルから触媒の内部空間に投射されると投射周辺域は低投射速度であるが投射中心域は最大投射速度となる投射速度分布となる状況を投射経路の終端経路に設定する等、流体力学上の緒現象を巧みに利用して投射経路の各経路それぞれにおいて好適な流動挙動となるように仕向けることにより、触媒に対して何らの損傷を生じさせることなく所定の触媒機能を再生せしめ、一回の劣化触媒の再生作業に要する時間の大幅短縮を可能ならしめたものである。
【００２３】
具体的には、一の触媒ピ−スを構成する触媒群のうち最も外方に配設された一部の触媒群を除いた他の触媒群が配設された配設領域より若干広い外形形状であって他の触媒群を構成する多数の触媒の配設間隔と同一間隔で且つ配設数と同数のノズル取付穴が穿設された投射区画部位と該投射区画部位の外側端から前記した一部の触媒群と対面可能な位置より更に若干外方まで延伸されて形成された連結部位からなる投射部材と、多数のノズル取付穴それぞれに脱着可能に装着された多数の差込ノズルとからなる投射手段と、その投射手段の流入側と同一形状に形成され前記した差込ノズルの内径と略同一内径の流動調整穴が前記したノズル取付穴と同一間隔にて同数穿設され流出側がその連結部位の流入側と連結された過大摩耗阻止・流動調整手段と、流出側にその過大摩耗阻止・流動調整手段の流入側の開口と同一開口形状に形成された流出口が設けられ流入側が圧送配管と略同形であって流動断面積が流入側から流出側に向けて漸次広くなるように形成され流出側が過大摩耗阻止・流動調整手段の流入側と連結されたケ−シング部材とそのケ−シング部材の流入側の流入中心軸に対して振り子状に回動自在な軸受部材を介してそのケ−シング部材の流入側に支持された研磨材導入部材とからなる投網状拡散流動構造の研磨材供給手段とから構成された劣化触媒再生用の投射装置としたものである。
【００２４】
請求項２に記載の発明が講じた解決手段は、一定期間の使用により触媒機能が劣化した触媒は、上面の一部が損傷しており損傷の程度が触媒毎に異なる場合が多いので、このような現場状況であっても、研磨材がどの触媒にも損傷を及ぼさずに確実に触媒内に流入し得るようにしたものである。
【００２５】
具体的には、請求項１に記載の発明に係る劣化触媒再生用の投射装置を前提とし、請求項１に記載の多数の差込ノズルそれぞれの長さを、触媒の損傷程度に応じて異ならしめたものである。
【００２６】
請求項３に記載の発明が講じた解決手段は、前記した解決手段となる研磨材の投網状の拡散流動が、何人が劣化触媒の再生工事に従事しても常に一定の投網状の拡散流動状態になし得るようにして、劣化触媒再生工事の実用性を高めるようにしたものである。
【００２７】
具体的には、請求項１に記載の発明に係る劣化触媒再生用の投射装置、又は請求項２に記載の発明に係る劣化触媒再生用の投射装置を前提とする。そして、請求項１に記載の投網状拡散流動構造の研磨材供給手段に代え、請求項１記載のケ−シング部材と流入側から流出側に向けて流入中心軸に対して放射状に配設された複数の導入穴が設けられケ−シング部材の流入側と固定軸受部材を介して支持された研磨材導入部材とからなる投網状拡散流動構造の研磨材供給手段を構成要素としたものである。
【００２８】
請求項４に記載の発明が講じた解決手段は、研磨材が加圧空気とともに流動するグル−プと加圧空気のみが流動するグル−プに分け、一旦、両グル−プそれぞれを投射方向とは異なる流動方向から投射装置内に流入させた直後に、両グル−プの一方を主として投射空間の周辺域に研磨材を回遊なさしめるのに寄与する渦巻状の回転流動をなさしめる一方、他方を研磨材が幅広く飛散されて拡散されるのに寄与するような衝突を伴う流動を投射装置内でなさしめる。そして、係る二系統の流動下にある両グル−プを入り混らせた流動状態で投射方向に拡散流動なさしめ、投射空間の周辺域にも中心域と同様に研磨材が回遊可能なようにして投射空間の全域にわたり研磨材の存在密度を均一となるように仕向け、多数の触媒それぞれに対する研磨材の単位時間当たり投射量のバラツキを最小化したものである。
【００２９】
具体的には、請求項１に記載の発明に係る劣化触媒再生用の投射装置又は請求項２に記載の発明に係る劣化触媒再生用の投射装置を前提とする。そして、請求項１に記載の投網状拡散流動構造の研磨材供給手段に代えて、流出側に請求項１に記載の過大摩耗阻止・流動調整手段の流入側の開口と同一開口形状に形成された流出口が流入側に通過穴が側面側に一側流入口がそれぞれ設けられ流出側が請求項１に記載の過大摩耗阻止・流動調整手段の流入側と連結された多角形箱状ケ−シング部材と、流出側が前記した通過穴と連通なさしめて多角形箱状ケ−シング部材の流入側と連結され流入中心軸が周壁上の一箇所での接線と平行となさしめて他側流入口が周壁に設けられた円筒形ケ−シング部材と、一側流入口と連通なさしめて多角形箱状ケ−シング部材の側面に取付られた一側導入部材と、他側流入口と連通なさしめて円筒形ケ−シング部材の周壁に取付られた他側導入部材とからなる研磨材群の乱流拡散流動構造の研磨材供給手段を構成要素とする劣化触媒再生用の投射装置としたものである。
【００３０】
請求項５に記載の発明が講じた解決手段は、研磨材が加圧空気とともに流動するグル−プと加圧空気のみが流動するグル−プに分け、一旦、両グル−プそれぞれが投射方向とは異なる流動方向から投射装置内に流入させた直後に、加圧空気のみが流動するグル−プを主として投射空間の周辺域に研磨材粒を回遊なさしめるのに寄与する渦巻状の回転流動をなさしめる一方、研磨材が加圧空気とともに流動するグル−プを、研磨材を破砕なさしめて研磨材粒として幅広く飛散なさしめるとともに加圧空気を乱流状態となさしめるのに寄与するような投射装置内での衝突を伴う流動をなさしめる。そして、係る二系統の流動下にある両グル−プを入り混じらせた流動状態で投射方向に拡散流動なさしめ、投射空間の周辺域にも中心域と同様に研磨材粒が回遊可能なようにして投射空間の全域にわたり研磨材粒の存在密度を均一となるように仕向け、多数の触媒それぞれに対する研磨材粒の単位時間当たり投射量のバラツキを最小化して、研磨材粒が研磨材と同様の触媒機能の再生工事に使用可能なようにし、強度が劣ったり柔らかい材質あるいは劣化度合いが進行した触媒に対しても所定の研磨作用ができるようにしたものである。
【００３１】
具体的には、請求項１に記載の発明に係る劣化触媒再生用の投射装置、又は請求項２に記載の発明に係る劣化触媒再生用の投射装置を前提とする。そして、請求項１に記載の投網状拡散流動構造の研磨材供給手段に代えて、流出側に請求項１に記載の過大摩耗阻止・流動調整手段の流入側の開口と同一開口形状に形成された流出口が流入側に通過穴が側面側に一側流入口がそれぞれ設けられ流出側が請求項１に記載の過大摩耗阻止・流動調整手段の流入側と連結されるとともに内壁に多数の破砕・飛散誘導部材が密集して設けられた多角形箱状ケ−シング部材と、請求項４に記載の円筒形ケ−シング部材と、請求項４に記載の一側導入部材と、請求項４に記載の他側導入部材と、からなる破砕研磨材粒群の乱流拡散流動構造の研磨材供給手段を構成要素とする劣化触媒再生用の投射装置としたものである。
【００３２】
請求項６に記載の発明が講じた解決手段は、単位投射面積に作用する研磨材の衝突エネルギ−を極力抑え、研磨材が衝突しても触媒が摩耗破損しないように配慮しつつ、触媒パックの上部に汚れがあって所定の劣化触媒の再生工事に着手しずらい場合や、梁部材が邪魔となる排煙脱硝装置の縁部位置に配置され、所定の劣化触媒の再生工事を円滑に施工しずらい触媒パックに対しても、確実に劣化触媒の再生工事が施工可能なようにするものである。
【００３３】
具体的には、投射側が一の触媒ピ−スの上面面積より小さい面積の平面状に形成され流入側が中心部を厚肉に周辺部を薄肉にして傾斜面をつけて形成されるとともに流入側と投射側間を貫いて多数の狭小投射穴が穿設された投射区画部位とその投射区画部位の外側端から外方に若干延伸なさしめて設けられた連結部位からなる投射手段と、流出側にその投射手段の流入側の開口と同一開口形状に形成された流出口が設けられ流入側が圧送配管と略同形であって流動断面積が流入側から流出側に向けて漸次広くなるように形成され連結部位を介して投射手段の流入側と連結されたケ−シング部材と請求項１に記載の研磨材導入部材又は請求項３記載の研磨材導入部材とからなる投網状流動拡散構造の研磨材供給手段とから構成された劣化触媒再生用の投射装置としたものである。
【００３４】
【発明の実施の形態】
請求項１乃至請求項３に記載の発明の構成により、投射手段の外形形状が一の触媒パックを構成する一の触媒ピ−スの上面の外形形状より僅かに大きくなる程度であって、研磨材が投網状に拡散流動開始するのが研磨材導入部材であるので、一の触媒ピ−スの上面に接近した位置で拡散流動開始可能となる。係る全体構成であるので、投射装置全体がコンパクトになり、劣化触媒再生用の投射装置を携帯した作業者は、排煙脱硝装置内の一の触媒パックの上方隙間空間に容易に入り込める。
【００３５】
つぎに多数の差込ノズルをそれぞれと対面する触媒内に差込ノズルを差し込んで投射部材を構成する投射区画部位の投射側を、一の触媒ピ−スを構成する最も外方に配設された一部の触媒群を除く他の触媒群の上面と対面接触なさしめるとともに、連結部位を最も外方に配設された触媒群の上面と対面接触なさしめる等の触媒再生工事の準備をし、研磨材導入部材をケ−シング部材の流入側の流入中心軸を中心として振り子状に回動させると、研磨材導入部材を通過した研磨材を含む加圧空気は、投網状に拡散しつつ流動断面積が漸次拡大されたケ−シング中を流出側に流動し、流動断面積が最大である流出側端に到達する。
【００３６】
尚、請求項３に記載の発明の構成によれば、研磨材導入部材を回動させずに固定していても、空気とともに流動してきた研磨材は、流入側から流出側に向けて流入中心軸に対して放射状に設けられた複数の導入穴それぞれを通過すると、常に同様に投網状に拡散する。
【００３７】
つぎに、流出側端から過大摩耗阻止・流動調整手段に穿設された多数の流動調整穴と出会うが、この際に、流動断面積が急縮小するので研磨材運動量が急増する現象が生じ、流動調整穴の入口壁に強固に接触して摩擦力を及ぼしつつ貫徹力が増して流動速度は加速される。このため、触媒から遠く離れた入口壁が摩擦力を受けとめ、触媒には摩擦力が直接作用されないので、触媒内に研磨材を含む加圧空気が流入する際の触媒に対する過大摩耗が阻止される。そして、研磨材を含む加圧空気は、多数の流動調整穴それぞれにより流動案内されて、加速された流動速度にて整流され、係る流動状態で流出側に向けて流動する。
【００３８】
ついで、整流状態で加速された流動速度にて、研磨材は、加圧空気とともに多数の流動調整穴それぞれと極めて間近に対面する多数の差込ノズル中にそれぞれ流入する。この後、研磨材は、各差込ノズルそれぞれの先端から、流動断面積が差込ノズル内径より若干拡大している一の触媒ピ−スを構成するそれぞれの触媒内に投射される。すると、投射された研磨材は、投射中心域では最大投射速度で投射周辺域では低投射速度となる投射速度分布となって触媒内を扇状の投射軌跡にて流動する。
【００３９】
尚、請求項２に記載の発明の構成によれば、触媒の上部の損傷程度が激しい触媒が存在する触媒ピ−スに対して触媒再生をなす場合にはノズル取付穴に長尺の差込ノズルを、若干の損傷しか生じてない触媒が存在する触媒ピ−スに対して再生工事をなす場合にはノズル取付穴に中尺の差込ノズルを、全く損傷がない触媒のみから構成される触媒ピ−スに対し再生工事をなす場合にはノズル取付穴に標準長さの差込ノズルをそれぞれ脱着可能に装着すれば、損傷の有無損傷の程度に影響されずに、再生工事の対象となる触媒ピ−スを構成する全ての触媒内に差込ノズルの先端側は常に確実に差し込まれ、触媒内に、研磨材は空気とともに確実に前記した扇状の投射軌跡を描いて投射される。
【００４０】
触媒内を、前記した扇状の投射軌跡にて研磨材群が流動すると、投射軌跡周辺域にある研磨材群の一部が触媒の側面に低速にて斜め衝突して適宜な研磨作用を及ぼすので、触媒表面に損傷を生じさせることなく、触媒側面にコ−ティングされたカルシウム成分を主とした触媒被毒物質を研磨除去して、研磨材や空気とともに触媒外に放出する。この一方、投射軌跡中心域にある研磨材群の一部は、投射当初の最大投射速度が余り低下せずに触媒中を流動し、触媒内を素早く貫通する。このため、一の触媒ピ−スを構成する多数の触媒は迅速に触媒機能が再生される。
【００４１】
そして、このような、一連の触媒再生工事を一の触媒パックを構成する他の触媒ピ−スについても反復実行すると、一の触媒パックが内蔵する全ての触媒の触媒機能が再生され、このような触媒再生工事を他の触媒バックについても順次実行すると、排煙脱硝装置に設置したままで、触媒機能が劣化した触媒を内蔵する全ての触媒パックに対する所定の劣化した触媒機能の再生が実行される。
【００４２】
また、請求項４に記載の発明の構成により、前記したと同様の触媒再生工事の準備をした後、一側導入部材を介して一側流入口に加圧空気とともに研磨材を流入させる一方、他側導入部材を介して他側流入口に加圧空気のみを流入させる。
【００４３】
すると、一側流入口に流入した研磨材は加圧空気とともに、多角形箱状ケ−シング部材内を投射方向に対して略直角方向に噴射され、一側流入口と対面する位置関係となる内壁を中心とした一定範囲の内壁に衝突して飛散し、飛散した研磨材が異なる位置の内壁と衝突して更に飛散するようにして連鎖的に衝突と飛散を繰り返す。一方、他側流入口に流入した加圧空気は、円筒形ケ−シング部材の内壁と接触しながら強制的に連続して旋回されるのと後続して円筒形ケ−シング部材内に流入した加圧空気流に押されることから、流入当初接線方向に流動していた加圧空気は、渦巻状に回転流動しながら多角形箱状ケ−シング部材側に流動移動する。
【００４４】
そして、このように渦巻状に回転流動しながら流動移動する加圧空気流が通過穴を通って多角形箱状ケ−シング部材内に進入すると、前記した如くして連鎖的に衝突と飛散を繰り返す研磨材を含む加圧空気に対して、渦巻状に回転流動しながら流動移動する加圧空気が、渦巻状の回転流動作用力と投射方向に流動移動なさしめる作用力とがミックスされた複合流動作用力を付与しつつ、両者は入り混じる。すると、多角形箱状ケ−シング部材内に更に複雑且つ多様に乱流しつつ投射方向に移動する加圧空気の空気流が引き起こされるので、研磨材群は、投射空間の周辺域にも中心域と略同一の研磨材存在密度で回遊して加圧空気の空気流にのって乱流拡散されながら投射方向に流動する。
【００４５】
このようにして、研磨材群が加圧空気とともに投射方向に乱流拡散流動すると、前記した過大摩耗阻止・流動調整手段に穿設された多数の流動調整穴それぞれに、単位時間当たり投射量のバラツキが略生じない研磨材の投射状態で、研磨材群を含む加圧空気が到達する。この後、前記したと同様の経路をへて、差込ノズルを介して、一の触媒ピ−スを構成する多数の触媒内それぞれに、単位時間当たり投射量のバラツキが殆どない整流状態で加速された流動速度の研磨材群が加圧空気と共に投射される。
【００４６】
尚、一側流入口に加圧空気のみが他側流入口に加圧空気とともに研磨材を流入させた場合には、前記したと同様にして、多角形箱状ケ−シング部材内では加圧空気流の乱流が生じる一方、円筒形ケ−シング部材内で研磨材が加圧空気とともに渦巻状に回転流動しながら多角形箱状ケ−シング部材側に流動移動する。この後、多角形箱状ケ−シング部材内で出会って入り混じり、前記したと同様にして、研磨材は、加圧空気とともに乱流拡散されながら投射方向に流動する。
【００４７】
また、請求項５に記載の発明の構成により、一側流入口に加圧空気とともに研磨材群を流入させると、多角形箱状ケ−シング内を投射方向に対して略直角方向に噴射され、最初に、一側流入口と対面する位置関係にある内壁又は破砕・飛散誘導部材を中心とする一定範囲に衝突する。
【００４８】
すると、内壁と衝突した場合には研磨材群は他の方向に飛散して破砕・飛散誘導部材と初めて衝突し、研磨材群の一部は破砕されて小径の多数の研磨材粒となり破砕されなかった残余の研磨材群とともに破砕・飛散誘導部材から弾かれて四方八方に飛散するとともに、加圧空気は、該破砕・飛散誘導部材により乱反射される。当初から破砕・飛散誘導部材と衝突した場合には、同様にして破砕された多数の研磨材粒は残余の研磨材群とともに破砕・飛散誘導部材から弾かれて四方八方に飛散するとともに、加圧空気は、該破砕・飛散誘導部材により乱反射される。
【００４９】
この後、破砕された研磨材粒を含む研磨材群の飛散と加圧空気の乱反射により他の位置に設けられたその他の多数の破砕・飛散誘導部材それぞれと連鎖的に衝突をなすとともに該衝突を起因とする前記した多数の破砕された研磨材粒を含む研磨材群及び加圧空気の同様の挙動が繰り返され、流入当初の研磨材群は全て破砕されて小径の研磨材粒となって乱反射する加圧空気の流れに乗って、更に別の破砕・飛散誘導部材との衝突を繰り返す。
【００５０】
そして、他側流入口に流入し、前記したと同様にして渦巻状に回転流動しながら流動移動する加圧空気が多角形箱状ケ−シング部材内に進入すると、乱反射を繰り返す加圧空気の流れに乗るとともに四方八方に飛散する破砕された研磨材粒群に対して、渦巻状に回転流動しながら流動移動する加圧空気が前記したと同様の複合流動作用力を付与しつつ、両者は入り混じる。
【００５１】
すると、多角形箱状ケ−シング部材内に、請求項４に記載の発明の構成により挙動する加圧空気の場合より、より一層流動状態が多様に変動しつつ投射方向に流動移動する加圧空気の空気流が引き起こされるので、破砕された研磨材粒群は、投射空間の周辺域にも中心域と略同一の研磨材粒存在密度で回遊して加圧空気の空気流にのって流動状態が多様に乱流拡散されながら投射方向に流動する。
【００５２】
このようにして破砕された研磨材粒群が加圧空気とともに投射方向に乱流拡散流動すると、前記した過大摩耗阻止・流動調整手段に穿設された多数の流動調整穴それぞれに、単位時間当たり投射量のバラツキが略生じない破砕された研磨材粒の投射状態で、研磨材粒を含む加圧空気が到達する。この後、前記したと同様の経路を経て、差込ノズルを介して、一の触媒ピ−スを構成する多数の触媒内それぞれに、単位時間当たり投射量のバラツキが殆どない整流状態で加速された流動速度の破砕された研磨材粒群が加圧空気とともに投射される。
【００５３】
一方、請求項６に記載の発明の構成により、投射手段の投射側の面積が一の触媒ピ−スの上面面積より小さく研磨材が投網状に流動開始するのが研磨材導入部材であるため、劣化触媒再生用の投射装置の全体構成が細身にコンパクト化された。係るコンパクト化により、作業者は劣化触媒再生用の投射装置を携帯して、排煙脱硝装置の縁部や梁部材等が間近に設けられた狭い隙間空間にも容易に入り込め、縁部や梁部材近くの一の触媒ピ−スの上面に接近した位置から投射開始可能となる。
【００５４】
つぎに、一の触媒ピ−スの汚れのある一定範囲、又は、排煙脱硝装置の縁部若しくは梁部材が邪魔をしている一の触媒ピ−スの一定範囲と、投射手段の投射側とを若干距離をあけて対面なさしめる等の再生工事の準備をする。この後、請求項１又は請求項３に記載の発明の実施の形態の項で説示したと同様にして、研磨材は空気とともに研磨材導入部材からケ−シング部材側に流入する。そして、該ケ−シング部材内を投網状に拡散流動して投射区画部位の流入側に到達し、傾斜面に対して斜め衝突する。係る斜め衝突により、研磨材は、衝突エネルギ−が減殺され、傾斜面上を周辺部側に向けて滑動し間近の狭小投射穴に流動速度を大幅に減じて流入する。
【００５５】
この後、多数の狭小投射穴中をそれぞれ流動案内されて更に減速されつつ整流されて、研磨材は、空気とともに多数の狭小投射穴それぞれから、極めて多数の細投射帯となってシャワ−状に投射手段の下方に投射され、単位投射面積当たりの衝突エネルギ−が抑制されて、研磨材は空気とともに、一の触媒ピ−スの前記した一定間隔に到達する。
【００５６】
すると、投射手段が汚れた一の触媒ピ−スの一定範囲と対面された場合には、触媒の上面を損傷させることなく、上面に付着している汚れと衝突して飛散せさるので、該一定範囲は清浄な状態となる。一方、一の劣化触媒の施工が困難な一の触媒ピ−スの一定範囲に対面された場合には、極めて多数の細投射帯の一部は、触媒の上面と衝突して上面に付着された汚れと衝突して飛散させ、その他は触媒中に流入して前記した研磨作用をなすので、触媒の上面が清浄な状態となるととともに前記した劣化触媒の再生がなされる。
【００５７】
【実施例】
つぎに請求項１に記載の発明の一実施例を、図面を参照しながら説明する。図１は請求項１に記載の発明の一実施例に係る劣化触媒再生用の投射装置を正面からみた場合を示し、図２は投射部材の一例を投射側上方からみた場合を示し、図３は差込ノズルの一例を斜め前方からみた場合を拡大して示し、図４は差込ノズルがノズル取付穴に脱着可能に装着されているとともに投射部材と過大摩耗阻止・流動調整手段及びケ−シング部材とが連結された状態を一部省略して拡大するとともに切断してみた場合を示し、図５はケ−シング部材の一例を斜め前方からみた場合を示し、図６は投網状拡散流動構造の研磨材供給手段の一例を一部省略するとともに縦方向から切断してみた場合を拡大して示し、図７は触媒パックの構成の一例を一部切欠いて斜め前方からみた場合を示したものである。
【００５８】
図１、図２、図４及び図７に示すように、３は、一の触媒パック５内に立設されて内蔵された３６本の触媒ピ−ス７のうちの、一の触媒ピ−ス７の上面７ａに現れた正方形配設態様の触媒８群から、最も外周に配設された一部の触媒群８Ｎを除いた他の触媒群８Ｍの正方形配設領域Ｓより若干大きくして一定の厚みの板状に形成された正方形投射区画部位である。また、９は、該正方形投射区画部位３の四隅外側端から最も外周に位置する一部の触媒群８Ｎと対面可能な外方位置より更に若干外方位置まで延伸され、正方形投射区画部位３と同一厚みの板状に形成された連結部位である。
【００５９】
図１乃至図４に示すように、該正方形投射区画部位３には、一の触媒ピ−ス７を構成する前記した他の触媒群８Ｍと同数同一間隔で投射側１０ａから流入側１０ｂに向けて所定深さだけ垂直に掘設なさしめた支持・投射方向誘導穴部１１ａと、該支持・投射方向誘導穴部１１ａの流入側終端位置から流入側１０ｂに向けて若干づつ拡径なさしめて円錐状に形成された取付・支持用円錐穴部１１ｂ、及び該取付・支持用円錐穴部１１ｂの流入側寄り終端と流入側１０ｂ間を該取付・支持用円錐穴部１１ｂの最大径と同一径とした導入穴部１１ｃとが投射側１０ａから流入側１０ｂに向け順次連通なさしめて設けられて構成されたノズル取付穴１１が設けられている。
【００６０】
連結部位９には、四箇所の角部近傍それぞれの二箇所と正方形投射区画部位３と対面する四箇所の中間位置にそれぞれ連結螺子穴１３が螺設されている。そして、前記した如くして形成された正方形投射区画部位３と、連結部位９とが一体的に構成されて本実施例に係る一定厚みの投射部材１５が構成されている。
【００６１】
図１、図３及び図４に示すように、１７は、ノズル取付穴１１に装着された際に、導入穴部１１ｃを設けたことにより形成された導入円形壁部３ｃと密着可能に形成された短円柱部１７ａと、取付・支持用円錐穴部１１ｂを設けたことにより形成された取付・支持壁部３ｂと密着可能に形成された円錐部１７ｂとからなり、中心部に研磨材を加圧空気とともに投射側１０ａにスム−ズに流動可能ならしめる内径の流動穴１８が設けられた装着・抜止め部位である。
【００６２】
また、１９は、外径を支持・投射方向誘導穴部１１ａの穴径より僅かに小さくしスム−ズに差込可能であって触媒８の廃ガス流通穴８ａに差込可能な径となす一方、中心側に流動穴１８が設けられ、装着・抜止め部位１７とともにノズル取付穴１１に装着された際に、筒長が、前記投射部材３の投射側１０ａより適宜長さ投射側３ａから突出可能に形成された差込部位である。
【００６３】
図３及び図４に示すように、該装着・抜止め部位１７と該差込部位１９とが一体的に構成されて本実施例に係る差込ノズル２１が構成されている。そして、図１及び図４に示すように、投射部材１５と、前記した如く多数穿設されたノズル取付穴１１に後述する如く脱着可能に装着された多数の差込ノズル２１とから本実施例に係る投射手段２３が構成されている。
【００６４】
尚、図４に示すように、本実施例では投射部材１５と対面接触する一の触媒ピ−ス７を構成する多数の触媒８に損傷がなく、多数の差込ノズル２１それぞれの差込部位１９の投射側１０ａからの突出長さが最も短くても、多数の触媒８それぞれの廃ガス流通穴８ａ内にもれなく一定長さ差込可能な場合である。
【００６５】
図１及び図４に示すように、２５は、前記した投射部材１５と同じ大きさの正方形であって、加圧空気とともに流動する研磨材に対して整流作用を引き起こさせるに充分な流動距離が確保された板厚の過大摩耗阻止・流動調整手段である。
【００６６】
該過大摩耗阻止・流動調整手段２５には、該過大摩耗阻止・流動調整手段２５の流出側２６ａと投射部材１５の流入側１０ｂとが対面接触する際に、投射部材１５に前記した如くして設けられた多数のノズル取付穴１１それぞれの中心軸線と同一軸線となる多数の位置それぞれに、流出側２６ａから流入側２６ｂに向けて前記流動穴１８と略同一穴径の整流誘導流動穴部２７ａと、該整流誘導流動穴部２７ａの流入側端終端近傍を先開状に拡径された流入案内穴部２７ｂとからなる流動調整穴２７が穿設されるとともに、投射部材１５に前記した如くして設けられた多数の連結螺子穴１３それぞれの中心軸線と同一軸線となる多数の位置それぞれに連結螺子穴２９が螺設されている。尚、流入案内穴部２７ｂを設けたことにより、該過大摩耗阻止・流動調整手段２５に、円錐状の過大摩擦力受け壁部２５ａが形成される。
【００６７】
そして、図１、図３及び図４に示すように、差込ノズル２１を、投射部材１５の流入側１０ｂからノズル取付穴１１に近接なさしめ、頭部１９ａを投射部材１５の投射側１０ａから適宜長さ突出するまで差込部位１９を支持・投射方向誘導穴部１１ａに挿入するとともに、短円柱部１７ａを導入円形壁部３ｃと、円錐部１７ｂを取付・支持壁部３ｂとそれぞれ密着させて装着・抜止め部位１７を密着支持して多数の差込ノズル２１を脱着可能に装着なさしめた状態で、過大摩耗阻止・流動調整手段２５の流出側２６ａと投射部材１５の流入側１０ｂとが対面接触される。
【００６８】
図１、図４及び図５に示すように、３１は、外形形状を前記過大摩耗阻止・流動調整手段２５の外形形状と同一の大きさの正方形となし、中心部に、過大摩耗阻止・流動調整手段２５に前記した如くして設けられた多数の流動調整穴２７群のうち最も外周位置にあるグル−プの流動調整穴２７の配設位置より若干外方となる外側正方形位置を切断して正方形通過穴３３が設けられた適宜板厚の取付部位である。尚、該取付部位３１の外方には、該取付部位３１が前記過大摩耗阻止・流動調整手段２５の流入側２１Ｂと対面接触した際に、多数の連結螺子穴２９それぞれの中心軸線と同一軸線となる１２か所に連結穴３５が設けられている。
【００６９】
図１、図４、図５及び図６に示すように、３７は、流出側３８ａを前記正方形連結穴３３より僅かに大きい正方形形状となし、流入側３８ｂを流出側３８ａの一辺の長さの略三分の一若しくは四分の一程度の直径の円形形状となすとともに、流出側３８ａの正方形形状の四隅から流入側３８ｂの円形形状の周囲四箇所に向けて曲面をつけ、流入側３８ｂから流出側３８ａに向かってラッパ状の外形形状となし、内部空間を研磨材が加圧空気とともに後述するように投網状に拡散流動可能に流動断面積が流入側３８ｂから流出側３８ａに向けて漸次広くなるように形成された流動案内部位である。
【００７０】
また、３９は、内径が流動案内部位３７の流入側３８ａと略同一径とされた薄体状の円筒形に形成され、周囲四ヶ所に均等間隔にて連結螺子穴４１が設けられた円筒形連結部位である。図５に示すように、前記した取付部位３１と、流動案内部位３７と、円筒形連結部位３９とから本実施例に係るケ−シング部材４３が構成されている。
【００７１】
図１及び図６に示すように、４５は、外側が前記円筒形連結部位３９の内径より僅かに小さい円形に形成されるとともに外周四箇所に均等間隔にて前記連結螺子穴４１と同一螺子穴径の取付螺子穴４７が螺設され、内側が凹状曲面に形成された滑動・連結曲面状穴４９となされた軸受基台である。
【００７２】
また、５１は、外側が軸受基台４５の滑動・連結曲面状穴４９と滑動可能に密着するように凸状曲面に形成され、内側に差込穴５３が設けられ、前面５２ａと後面５２ｂをストレ−トに形成された回動子である。そして、該回動子５１の凸状曲面と軸受基台４５の滑動・連結曲面状穴４９とが滑動自在に密着結合され、該回動子５１が流入中心軸Ｇに対して任意の方向に振り子状に滑動可能なようになして、該回動子５１と軸受基台４５とが連結されて構成されているのが本実施例に係る振り子状に回動自在な軸受部材５５である。
【００７３】
このように構成された振り子状に回動自在な軸受部材５５は、取付螺子５７を、前記連結螺子穴４１、取付螺子穴４７に順次螺入なさしめることにより、ケ−シング部材４３を構成する円筒形連結部位３９と連結されている。
【００７４】
図１及び図６に示すように、５９は、外側前部６０ａを前記差込穴５３より若干径を小さくした円形に、外側中間部６０ｂを外側前部６０ａより段階的に径を大きくした段状円形にそれぞれ形成され、外側後部６０ｃを最も径を大きくした圧送配管取付雄螺子６１が螺設され、中心側に流入側６２ａの内径を大きくし流出側６２ｂの内径を小さくした流動案内テ−パ穴６３が設けられた研磨材導入部材である。
【００７５】
尚、本実施例では特別に、流動案内テ−パ穴６３内に、外側を該流動案内テ−パ穴６３より若干小さい差込流動テ−パ穴６５が設けられて中空長円錐状に形成された研磨材差込導入部材６７が挿入されている。
【００７６】
図６に示すように、前記した振り子状に回動自在に軸受部材５５と、研磨材導入部材５９とから本実施例に係る投網状拡散流動構造の研磨材供給手段６９が構成されている。そして、図１及び図４に示すように、連結ボルト７０を前記した連結穴３５に挿入した後、連結螺子穴２９と連結螺子穴１３に順次螺入なさしめる連結方法により連結された前記した投射手段２３と、過大摩耗阻止・流動調整手段２５と、投網状拡散流動構造の研磨材供給手段６９とから本実施例に係る劣化触媒再生用の投射装置１が構成されている。
【００７７】
尚、本実施例では、触媒８が一定間隔にて正方形に多数配設された触媒ピ−ス７に対して触媒機能の再生をなす場合について説明したが、本発明はこれに限定されず、触媒８が一定間隔にて長方形、六角形等の多角形、円形、楕円形等の形状に多数配設された触媒ピ−スに対して触媒機能の再生をなす場合であっても勿論適用可能である。係る場合、前記した正方形投射区画部位３、過大摩耗阻止・流動調整手段２５、ケ−シング部材４３の流出側の形状も、触媒８が多数配設された形状に対応した外形形状となるものである。
【００７８】
つぎに、請求項１に記載の発明の一実施例に係る劣化触媒再生用の投射装置１に研磨材を圧送する役割を担う研磨材送給装置並びに劣化触媒再生工事システムについて説明する。
【００７９】
図８は研磨材送給装置の一例を正面からみた場合を示し、図９は劣化触媒再生工事システムの一例を模式的に示し、図１０は請求項１に記載の発明の一実施例に係る劣化触媒再生用の投射装置が劣化触媒再生工事システムの圧送下流側端位置に配置された状態を斜め前方からみた場合を示し、図１１は研磨材連続定量落流機構を縦方向から切断するとともに拡大してみた場合を示し、図１２は研磨材連続圧送部材を斜め上方から拡大してみた場合を示したものである。
【００８０】
図８に示すように、７１は、一端が連結軸７３を介して主車輪７５により移動可能に支持されている長方形板状台７７と、一端が補助車輪７９により移動可能に支持され連結部材８１を介して長方形板状台７７と連結された制御盤側台８３とからなる架台である。
【００８１】
図８及び図１１に示すように、８５は、落流傾斜角を略３０度とした落流部位８６の一側面が前記連結軸７３と連結された支持部位８７により、該落流部位８６の他側面が長方形板状台７７の一端と連結された補助支持部材８８によりそれぞれ支持され、また該落流部位８６の下側中央に中空円筒状に形成された排出部位８９が突設され、更に該排出部位８９の下側周囲に中空円盤状に形成された取付フランジ９０が設けられるとともに、一定量（触媒機能の再生工事を施工する対象の触媒パック５の触媒機能を再生させるに必要な量）の研磨材を収容可能な内容積を有し、側面の略中間高さ位置に加圧空気導入口９１が、側面のやや上方位置に加圧空気排気口９２がそれぞれ設けられた研磨材収容容器である。
【００８２】
図８に示すように、９３は、加圧空気供給配管系であって上流側が後述するコンプレッサ−１６７と連通され、下流側流通路途上で分岐し一方の下流側が前記加圧空気導入口９１とスットプバルブ９４を介して連通され、他方の下流側が後述する中継ホ−ス１３９を介して研磨材連続圧送部材１３７に設けられた研磨材を含む加圧空気流通路１４７と連通されている。また、９５は、加圧空気排気配管系であって上流側がストップバルブ９６を介して加圧空気排気口９２と連通されている。
【００８３】
図８及び図１１に示すように、９７は、円筒の側面が横方向に張出されて円筒形に近似して形成されたロ−タリ−フィ−ダ−収容部位、９９は、該ロ−タリ−フィ−ダ−収容部位９７の上方側と下方側それぞれと一体的に構成され、前記取付フランジ９０と同様に形成されるとともに中心部に受渡し落流穴１０１が穿設された上流側ケ−ス付設取付フランジである。また、１０３は、該上流側ケ−ス付設取付フランジ９９と同様に形成された中継フランジであって取付ボルト１０５により前記下方側に位置する上流側ケ−ス付設取付フランジ９９と連結されている。
【００８４】
さらに、１０７は、該中継フランジ１０３と一体的に構成され中心部に前記受渡し落流穴１０１と連通されたノズル側受渡し落流穴１０９が設けられ下流側に取付フランジ１１１が配設された受渡しノズル部位である。そして、これらから本実施例に係る上流側ケ−ス１１３が構成されている。尚、前記ロ−タリ−フィ−ダ−収容部位９７内の上方側の壁にはシ−ルケ−ス１１５が設けられている。
【００８５】
また、１１７は、前記ロ−タリ−フィ−ダ−収容部位９７内に上方側が前記シ−ルケ−ス１１５と接して配設されているとともに回転羽根１１８を軸着する図示を省略した受動軸が突設された本実施例に係るロ−タリ−フィダ−である。
【００８６】
そして、図８及び図１１に示すように、前記した上流側ケ−ス１１３とロ−タリフィ−ダ−１１７と、モ−タ１１９とから本実施例に係る研磨材連続定量落流機構１２７が構成されており、前記取付フランジ９０と前記上流側ケ−ス付設取付フランジ９９とが取付ボルト１２９を介して連結されることにより、前記研磨材収容容器８５を構成する排出部位８９の下方位置に配設されている。
【００８７】
図１２に示すように、１３１は、外形が前記取付フランジ１１１と略同一幅であって若干上下に高めに形成され、中心部に比較的大きい径であって適宜深さのインナ−ノズル据付凹座１３３と、該インナ−ノズル据付凹座１３３と上下に隣接してノズル部据付穴１３５が設けられたケ−スである。
【００８８】
図８及び図１２に示すように、１３７は、一側に中継ホ−ス１３９を介して前記した加圧空気供給配管系９３と連結された円形近似のホ−ス連結部位１４１が、他側に該円形近似のホ−ス連結部位１４１より水平側が拡幅された菱形近似のホ−ス連結部位１４３が、中間に外形形状が円形から楕円径に連続して変化する胴部位１４５がそれぞれ配設され、内側に一側から他側に向け研磨材を含む加圧空気流通路１４７が略水平に穿設され、更に、前記胴部位１４５の上方中間部に前記ケ−ス１３１が乗っかるようなして一体的に構成された研磨材連続圧送部材である。
【００８９】
そして、図８、図１１及び図１２に示すように、取付ボルト１４８により、前記取付フランジ１１１とケ−ス１３１の取付フランジ部位１５１とが連結されて、該研磨材連続圧送部材１３７は、前記上流側ケ−ス１１３の下方に吊持されている。
【００９０】
図８、図９及び図１１に示すように、１４９は、長方形板状台７７上の主車輪７５配設位置近くに設けられたエアシリンダ１５１内臓のピンチバルブであって、作業者Ｍが、スイッチ１５６を操作することによりエアシリンダ１５１を動作させ、上流側端が前記菱形近似のホ−ス連結部位１４３と連結ボルト１５３により連結された研磨材を含む加圧空気圧送ホ−ス１５５の流路を、適宜遮断する作用をなすものである。
【００９１】
図８に示すように、１５７は、前記制御盤側台８３上の一端と他端にそれぞれ立設された一対の支持脚１５９により支持され、カウンタ−セットボタン１６１と、モ−タ１１９の回転数をカウントする回転数カウンタ−１６３とが備えられ、一の触媒ピ−ス７に対する触媒機能の再生に必要な量の研磨材を圧送する相当の回転数だけモ−タ１１９が回転したか否かを、モ−タ１１９に付設された回転数検地部１２５を介してカウントし、図示を省略したリレ−とともにモ−タ１１９の動作を制御する制御盤である。
【００９２】
図８に示すように、前記した架台７７と、研磨材収容容器８５と、加圧空気供給配管系９３と、加圧空気排気配管系９５と、研磨材連続定量落流機構１２７と、ケ−ス１３１を含む研磨材連続圧送部材１３７と、ピンチバルブ１４９と、制御盤１５７とから研磨材送給装置１６５が構成されている。
【００９３】
図９に示すように、１６７は、車輪１６９により移動可能に支持され大気を吸引して圧縮することにより加圧空気を生起するコンプレッサ−であって、加圧空気圧送ホ−ス１７１を介して前記加圧空気供給配管系９３と連結されている。
【００９４】
そして、図９に示すように、前記した研磨材送給装置１６５と、コンプレッサ−１６７と、加圧空気圧送ホ−ス１７１と、研磨材を含む加圧空気圧送ホ−ス１５５と、該研磨材を含む加圧空気圧送ホ−ス１５５の下流側端と研磨材導入部材５９の圧送配管取付雄螺子６１とが連結されることにより研磨材を含む加圧空気圧送ホ−ス１５５の下流側端に配設された劣化触媒再生用の投射装置１とから、劣化触媒再生工事システム１７３が構成されている。
【００９５】
つぎに、劣化触媒再生工事システムに組み込まれた請求項１の発明の一実施例に係る劣化触媒再生用の投射装置の実施の形態について説明する。図１３は研磨材が加圧空気とともに流動調整穴内に流入する段階から流動調整穴と差込ノズル内を順次流動した後に差込ノズルから触媒に向けて投射されるに至るまでの研磨材の流動挙動を模式的に示したものである。
【００９６】
まず、触媒パック５を構成する一の触媒ピ−ス７の触媒機能を再生させるに必要な研磨材の量と、触媒機能を再生する工事をなす触媒バック５の数から、再生工事を施工するのに必要な研磨材の総量を算出するとともに、研磨材送給装置１６５の前記した定量落流並びに圧送構造、使用する研磨材の粒径や重量等の物理的特性、コンブレッサ−１６７が生起する加圧空気の圧力等から、モ−タ１１９の単位回転数当たりの研磨材の圧送量を予め設定する。
【００９７】
つぎに、ストップバルブ９６を開き研磨材収容容器８５内の圧力を大気圧と同圧とした状態で研磨材収容容器８５内に研磨材を投入すると、排出部位８９、上流側ケ−ス１１３内の上方の受渡し落流穴１０１を順次経由して落流し回動停止しているロ−タリ−フィダ−１１７に備えられた受渡し落流穴１０１と対面する回転羽根１１８と出会って以降の落流を阻止されて集積される。そして。一定時間研磨材を投入すると、算出された量の研磨材が収納される。
【００９８】
ついで、図９及び図１０に示すように、作業者Ｍは劣化触媒再生用の投射装置１を携帯して、劣化触媒の再生工事の対象となっている排煙脱硝装置１７５の特定階層の建屋１７５Ａ内の劣化触媒の再生工事を施工する触媒パック５の上方空間に移動する。この後、図２乃至図４に示すように、投射装置１５の投射側１０ａに設定された正方形投射区画部位３と、該触媒パック５内に内蔵された一の触媒ピ−ス７の上面７ａとを対面させる。
【００９９】
そして、一の触媒ピ−ス７の外周に配設された一部の触媒群８Ｎを除くその他の触媒群８Ｍそれぞれの排ガス流通穴８ａ内に、投射部材１５の投射側１０ａ面から突出した多数の差込ノズル２１の差込部位１９の頭部１９ａを挿入させると、投射部材１５の投射側１０ａの正方形投射区画３と前記した正方形配設領域Ｓとが対面接触するとともに、連結部位９の投射側１０ａと前記した一部の触媒群８Ｎの上面も対面接触し、劣化触媒再生用の投射装置１は投射対象である一の触媒ピ−ス７と極めて正確且つ安定した対面接触状態となり投射準備が整う。
【０１００】
この後、図８及び図９に示すように、加圧空気供給配管系９３のストップバルブ９４を開く一方、加圧空気排気配管系９５のストップバルブ９６を閉じ、更に、エアシリンダ１５１を動作させずに、研磨材を含む加圧空気圧送ホ−ス１５５中のピンチバルブ１４９が設けられている位置から下流側を、研磨材を含む加圧空気が流通可能となさしめておく。
【０１０１】
ついで、図８、図９及び図１２に示すように、コンプレッサ−１６７を動作させると、圧縮されて加圧された空気は、加圧空気圧送ホ−ス１７１中を加圧空気供給配管系９３に向けて流通する。そして、該加圧空気供給配管系９３に達すると、一部の加圧空気は、加圧空気導入口９１から研磨材収容容器８５内に流入する一方、その他の加圧空気は、中継ホ−ス１３９に流入し研磨材連続圧送部材１３７に設けられた加圧空気流通路１４７を経由して、研磨材を含む加圧空気圧送ホ−ス１５５中を下流側に流通する。すると、エアシリンダ１５１が動作して研磨材を含む加圧空気圧送ホ−ス１５５の流路が遮断される。
【０１０２】
図９、図１１及び図１２に示すように、これと略同時に、図示を省略したリレ−等の制御機器が制御動作し、モ−タ１１９が所定の回転速度で回動動作する。すると、該モ−タ１１９の回動力がロ−タリ−フィダ−１１７に伝達されて回動するため、回転羽根１１８も同側への回転を開始する。係る回転羽根１１８の回転により、回転羽根１１８により落流を阻止されていた研磨材群は、回転羽根１１８の回転方向に送られた後、該回転羽根１１８から滑り落ちてロ−タリ−フィダ−収容部位９７内を鉛直下方に落流し、下方の受渡し落流穴１０１、受渡しノズル部位１０７のノズル側受渡し落流穴１０９を順次経由して落流する。
【０１０３】
そして、この後、加圧空気が流通している加圧空気流通路１４７に連続して流入する。すると、加圧空気流通路１４７に向けて流通している加圧空気と混合されて研磨材を含む加圧空気が現出され、研磨材を含む加圧空気は、研磨材を含む加圧空気圧送ホ−ス１５５側に流通する。
【０１０４】
尚、図示を省略したがノズル側受渡し落流穴の下流側にインナ−ノズル等を設ければ、ブリッジ現象が全く生じずに一層精密に定量ずつ連続してスム−ズに落流した後、加圧空気流通路１４７に流入し、より一層均等に研磨材が含まれた加圧空気が現出される。
【０１０５】
ついで、スイッチ１５６を開側に操作すると、エアシリンダ１５１の動作は停止し、ピンチバルブ１４９配設位置での流路遮断が解除されるので、図８及び図１０に示すように、研磨材を含む加圧空気は、研磨材を含む加圧空気圧送ホ−ス１５５中を流動し、劣化触媒再生用の投射装置１を構成する研磨材導入部材５９に達する。
【０１０６】
この際に、図６及び図１０に示すように、作業者Ｍが、研磨材導入部材５９の流動配管取付雄螺子６１と螺合されている研磨材を含む加圧空気圧送ホ−ス１５５の下流側端を振り子状に回動させると、凸状曲面の回動子５１は、軸受基台４５の凹状曲面状に形成された滑動・連結曲面状穴４９中をスム−ズに流入中心軸Ｇに対して振り子状に回動する。
【０１０７】
このため、研磨材導入部材５９に達して、流動案内テ−パ穴６３から、差込流動テ−パ穴６５に流入した研磨材を含む加圧空気は、振り子状に回動している研磨材差込導入部材６７からケ−シング部材４３を構成する流動案内部位３７の内部空間に投射される。すると、投射された研磨材を含む加圧空気は、該内部空間中を投網状に拡散流動しながら流動断面積が漸次広くなっている流動案内部位３７内を正方形通過穴３３に向けて投網状に拡散流動するので、研磨材の単位時間当たり投射量のバラツキが低減される。
【０１０８】
つぎに、流動断面形状が正方形であって流動断面積が最大の正方形通過穴３３に達すると、図４及び図１３に示すように、流動案内部位３７の流出側３８ａ端から過大摩耗阻止・流動調整手段２５に穿設された多数の流動調整穴２７の流入案内穴部２７ｂと出会う。この際に、流動断面積が急減するので、加圧空気とともに流動してきた研磨材の運動量が急増する現象が生じ、この現象下で連続して研磨材が過大摩耗力受け壁部２５ａに強固に接触して摩擦力を及ぼしつつ強制的に流動断面積を狭く絞られながら、流入案内穴部２７ｂから整流誘導流動穴部２７ａに流動する。
【０１０９】
係る流動挙動により、触媒８から遠く離れた過大摩耗力受け壁部２５ａにおいて摩擦力を受け止めることができるので、触媒８の先端部位８ｂには摩擦力が直接作用されず、触媒８内の排ガス流通穴８ａに研磨材を含む加圧空気が流入する当初の時点での、触媒８に対する過大摩耗が阻止される。また、研磨材を含む加圧空気は、流動速度が加速されて貫徹力が増し、多数の流動調整穴２７の整流誘導調整穴部２７ａ中それぞれに流動案内されて、加速された流動速度にて整流され、係る流動状態で流出側２６ａに向けて流動する。
【０１１０】
ついで、整流状態で加速された流動速度にて、研磨材を含む加圧空気は、図４及び図１３に示すように、多数の流動調整穴２７の整流誘導調整穴部２７ａそれぞれと極めて間近に対面する多数の差込ノズル２１の流動穴１８中にそれぞれ流入する。この際に、研磨材は、各差込ノズル２１それぞれの先端から、流動断面積が差込ノズル２１の流動穴１８より若干拡大している一の触媒ピ−ス７を構成するそれぞれの触媒８内の排ガス流通穴８ａに、単位時間当たり投射量のバラツキが低減されて投射される。すると、投射された研磨材群は、投射中心域Ｂ１では最大投射速度で投射周辺域Ｂ２では低投射速度となる投射速度分布となって排ガス流通穴８ａ内を扇状の投射軌跡にて流動する。
【０１１１】
排ガス流通穴８ａ内を前記した扇状の投射軌跡にて研磨材群が流動すると、投射周辺域Ｂ２の最も周辺寄りにある研磨材群の一部が触媒８の側面８ｃに低速にて斜め衝突して適宜な研磨作用を及ぼすので、側面８ｃに損傷を生じさせることなく、側面８ｃにコ−ティングされたカルシウム成分を主とした触媒被毒物質を研磨除去して、研磨材を空気とともに触媒８外に排出する。
【０１１２】
排ガス流通穴８ａ中を、研磨材群が、図示を省略した出口に向けて移動しながら、このような、研磨材の斜め衝突による研磨作用を、投射周辺域Ｂ２にある他の研磨材、比較的中心寄りの投射周辺域Ｂ１にある研磨材、投射中心部域Ｂ１にある一部の研磨材も順次なす。この一方、投射中心域Ｂ１にある他の研磨材群は、投射当初の最大投射速度があまり低下せずに排ガス流通穴８ａ中を流動し、触媒８内を素早く貫通する。
【０１１３】
図８及び図９に示すように、加圧空気とともに研磨材を差込ノズル２１から投射する間に、制御ケ−ブル１２３を経由して回転数検知部１２５からのモ−タ１１９の回転数の回転数検知情報が回転数カウンタ−１６３に伝達される。そして、前記した予め設定されたモ−タ１１９の単位回転数当たりの研磨材の圧送量から、必要な量の研磨材が圧送されたと見なされる予定した回転数を回転数カウンタ−１６３がカウントすると、図示を省略したリレ−の指令により、モ−タ１１９は回転を停止し、劣化触媒再生用の投射装置１に対する研磨材の圧送が停止される。
【０１１４】
このため、一定時間、差込ノズル２１から加圧空気のみが噴射され、触媒８内の排ガス流通穴８ａを流通し除去されたカルシウム成分を主とした触媒被毒物質を完全に触媒８外に排出する。この後、作業者Ｍは、スイッチ１５６を閉側に操作すると、エアシリンダ１５１が動作し、ピンチバルブ１４９が配設された位置にある研磨材を含む加圧空気圧送ホ−ス１５５の流路が遮断されるので、劣化触媒再生用の投射装置１に対する加圧空気の供給も停止される。係る一連の触媒再生工程により、一の触媒ピ−ス７を構成する最外周囲に位置する触媒群８Ｎを除く他の触媒群８Ｍに属する多数の触媒８は迅速に触媒機能が再生される。
【０１１５】
そして、作業者Ｍが隣接する他の触媒ピ−ス７に劣化触媒再生用の投射装置１を携帯して移動し、前記した一連の触媒再生工程を反復実行すると、一の触媒パック５が内蔵する全ての触媒ピ−ス７の触媒機能が再生される。このような触媒再生工程を他の触媒パック５についても順次実行すると、排煙脱硝装置１７５に設置したままで、再生工事の対象の触媒機能が劣化した全ての触媒パック５は、迅速に触媒機能が再生される。
【０１１６】
つぎに、請求項２に記載の発明の一実施例と実施の形態を、図面を参照しながら説明する。図１４は請求項２に記載の発明の一実施例に係る劣化触媒再生用の投射装置を正面からみた場合を示し、図１５は長尺差込ノズルがノズル取付穴に脱着可能に装着されているとともに投射部材と過大摩耗阻止・流動調整手段及びケ−シング部材とが連結された状態を一部省略して拡大するとともに切断してみた場合を示し、図１６は触媒の損傷の程度に応じて使用する差込ノズルを選択する基準を模式的に示したものである。
【０１１７】
図１５及び図１６（ロ）に示すように、１７７は、最も激しく損傷している触媒８Ａであっても差込可能なように、前記した差込ノズル２１の差込部位１９を大幅に延伸して形成された長尺差込み部位１７９と、前記した装着・抜止め部位１７とが一体的に構成された長尺差込ノズルである。
【０１１８】
図１５に示すように、前記した如く多数穿設されたノズル取付穴１１にそれぞれ脱着可能に装着された多数の長尺差込ノズル１７７と、前記した投射部材１５とから本実施例に係る投射手段１８１が構成されている。そして、図１４及び図１５に示すように、連結ボルト７０を用いた前記した連結方法により連結された、該投射手段１８１と、前記した過大摩耗阻止・流動調整手段２５と、投網状拡散流動構造の研磨材供給手段６９とから請求項２に記載の発明の一実施例に係る劣化触媒再生用の投射装置１８３が構成されている。
【０１１９】
排煙脱硝に長期間使用されたため、一の触媒ピ−ス７Ａを構成する多数の触媒８の一部に触媒８Ａのように上部が激しく損傷生している状況下において、劣化触媒の再生をなすべく、正方形投射区画３の投射側１０ａから突出した多数の長尺差込ノズル１７７それぞれの長尺差込部位１７９を、触媒８Ａ内の排ガス流通穴８Ａａの直上の空間位置で待機なさしめる。
【０１２０】
つぎに、投射部材１５を構成する連結部位９の投射側１０ａと前記した一部の触媒群８Ｎの上面とを対面接触させると、多数の長尺差込ノズル１７７それぞれの長尺差込ノズル部位１７９は、どの激しく損傷している触媒８Ａの排ガス流通穴内８Ａａに対しても適宜深さ差込まれ、劣化触媒再生用の投射装置１８３は、投射対象である一の触媒ピ−ス７Ａに極めて正確且つ安定した対面接触状態となり投射準備が整う。
【０１２１】
この後、請求項１に記載の発明の一実施例に係る劣化触媒再生用の投射装置１に代えて、請求項２に記載の発明の一実施例に係る劣化触媒再生用の投射装置１８３が組み込まれた前記した劣化触媒再生工事システム１７３と同様の構成の図示を省略した劣化触媒再生工事システムを用いて前記したと同様の触媒再生工程の実行すると、所定の劣化触媒再生工事が施工される。
【０１２２】
尚、本実施例では、図１６（ロ）に示すように、触媒８Ａの上部が激しく損傷した場合について説明したが、触媒ピ−ス７を構成している触媒８の損傷の程度によっては、図１６（ハ）に示すように、ある程度の損傷が生じている触媒８Ｂの排ガス流通穴８Ｂａに対して適宜深さ差込可能に、前記した差込ノズル２１の差込部位１９をある程度延伸なさしめた中尺差込部位１８５とし、該中尺差込部位１８５と前記装着・抜止部位１７とを一体的に構成せしめた中尺差込ノズル１８７を用いてもよい。
【０１２３】
そして、図１６（イ）乃至図１６（ハ）に示すように、触媒機能の再生工事の対象となる触媒ピ−ス７を構成する触媒８の損傷の有無、損傷の程度に応じて、前記した差込ノズル２１、長尺差込ノズル１７７、中尺差込ノズル１８７を適宜使い分ければ、どの触媒パック５、触媒ピ−ス７に対する劣化触媒の再生工事をなす場合であっても、常時確実に隣接する触媒８に漏投射することなく、研磨材は単位時間当たり投射量のバラツキが低減されて加圧空気とともに投射対象である触媒８、８Ａ、８Ｂそれぞれの排ガス流通穴８ａ、８Ａａ、８Ｂａに投射される。
【０１２４】
つぎに請求項３に記載の発明の一実施例と実施の形態を、図面を参照しながら説明する。図１７は請求項３に記載の発明の一実施例に係る劣化触媒再生用の投射装置を正面からみた場合を示し、図１８は投網状拡散流動構造の研磨材供給手段の他の例を一部省略するとともに縦方向から切断してみた場合を拡大して示したものである。
【０１２５】
図１８に示すように、１８９は、外側が前記円筒形連結部位３９の内径より僅かに小さい円形に形成されるとともに外側四箇所に均等間隔にて前記した取付螺子穴４７と同様の取付螺子穴１９１が螺設され、内側に支持穴１９３が設けられた固定軸受部材であって、前記取付螺子５７を、前記連結螺子穴４１、取付螺子穴１９１に順次螺入なさしめることにより、ケ−シング部材４３を構成する円筒形連結部位３９と連結されている。
【０１２６】
図１８に示すように、１９５は、外側前部１９６ａから外側中間１９６ｂを前記支持穴１９３より若干外径を小さくした円形に、外側後部１９６ｃを径を大きくした圧送配管取付雄螺子１９７が螺設され、流入側１９８ｂから流出側１９８ａ近傍にかけて流出側近傍の先端断面形状を半円形とした流動案内穴１９９が設けられ、流出側近傍から流出側１９８ａに、流入中心軸Ｇに対して放射状に一定間隔にて導入穴２０１が複数設けられた研磨材導入部材である。
【０１２７】
図１７及び図１８に示すように、固定軸受部材１８９と、研磨材導入部材１９５とから本実施例に係る投網状拡散流動構造の研磨材供給手段２０３が構成されており、前記した投射手段２３と、過大摩耗阻止・流動調整手段２５と、投網状拡散流動構造の研磨材供給手段２０３とから、請求項（３）の発明の一実施例に係る劣化触媒再生用の投射装置２０５が構成されている。そして、研磨材導入部材１９５の流動配管取付雄螺子１９７と前記した研磨材を含む加圧空気圧送ホ−ス１５５の下流側端とが連結されて、該劣化触媒再生用の投射装置２０５は、前記した劣化触媒再生工事システム１７３と同様の構成の図示を省略した劣化触媒再生工事システムに組み込まれるのである。
【０１２８】
請求項３に記載の発明の一実施例に係る実施の形態において説示したと同様の触媒再生工程の前半段階を経て研磨材を含む加圧空気が、劣化触媒再生用の投射装置２０５に到達して流動案内穴１９９に流入すると、作業者Ｍが研磨材を含む加圧空気圧送ホ−ス１５５の下流側端を支持しているのみで、加圧空気とともに研磨材は、複数の導入穴２０１にそれぞれ流入した後、ケ−シング部材４３を構成する流動案内部位３７の内部空間に流入中心軸Ｇに対して放射状に投射される。
【０１２９】
すると、加圧空気とともに投射された研磨材は、該内部空間中を放射状に拡散流動しながら流動断面積が漸次広くなっている流動案内部位３７内を正方形通過穴３３に向けて投網状に拡散流動する。そして、この後、請求項１の発明の一実施例の実施の形態において説示したと同様の触媒再生工程の後半段階を経て、加圧空気とともに研磨材は多数の差込ノズル２１から触媒８の排ガス流動穴８ａに単位時間当たりの投射量のバラツキが低減されて投射され、前記したと同様の所定の劣化触媒再生工事が施工されるのである。
【０１３０】
つぎに、請求項４に記載の発明の一実施例を、図面を参照しながら説明する。図１９は請求項４に記載の発明の一実施例に係る劣化触媒再生用の投射装置を一部切り欠いて正面からみた場合を示し、図２０は同実施例に係る多角形箱状ケ−シング部材の一例である四角形箱状ケ−シング部材の構造と該四角形箱状ケ−シング部材の側面側に設けられた一側流入口と連通なさしめて取付られた一側導入部材の構造とを図１９のＡ−Ａ線にて切断してみた場合を示し、図２１は同実施例に係る円筒形ケ−シング部材の一例の構造と該円筒形ケ−シング部材の周壁に設けられた他側流入口と連通なさしめて取付られた他側導入部材の構造とを図１９のＢ-Ｂ線にて切断してみた場合を示したものである。
【０１３１】
図１９及び図２０に示すように、２０７は、前記した取付部位３１と同様の形状であって前記正方形通過穴３３と同様の開口形状の正方形通過穴２０９が設けられた取付部位であり、２１１は、該取付部位２０７の一辺の長さより若干長さが短く上方側２０７ａ上の一方と他方の正面側内方にそれぞれ若干寄せて相対面して立設された一対の正面側枠部材である。
【０１３２】
また、２１３は、該正面側枠部材２１１と同長であって前記した上方側２０７ａ上の一方と他方の側面側内方にそれぞれ同程度寄せて相対面して立設された一対の側面側枠部材であり、２１５は、一対の正面側枠部材２１１と一対の側面側枠部材２１３上に設けられ中心位置に円形の通過穴２１７が穿設された蓋部材である。尚、一対の側面側枠部材２１３の一方には一側流入口２１９が設けられている。
【０１３３】
そして、前記した取付部位２０７と、一対の正面側枠部材２１１と、一対の側面側枠部材２１３と、蓋部材２１５とから多角形箱状ケ−シング部材の一例である四角形箱状ケ−シング部材２２１が構成されている。
【０１３４】
図１９及び図２１に示すように、２２３は、内径が前記通過穴２１７と略同径であって高さが前記四角形ケ−シング部材２２１の高さの５０％より若干低い円筒形に形成され、流入中心軸２２５を特定周壁位置２２７Ａでの接線２２７Ａ１と平行になさしめて他側流入口２２９が周壁２２７に設けられた円筒形ケ−シング部材である。
【０１３５】
そして、該円筒形ケ−シング部材２２３は、流出側２２３ａが前記通過穴２１７と連通なさしめるとともに、他側流入口２２９が前記一側流入口２１９に対して上方からみた場合に直角な位置関係となるようにして前記した四角形箱状ケ−シング部材２２１上に配設されている。
【０１３６】
図１９及び図２０に示すように、２３１は、内部に図示を省略した圧送ホ−スと連結可能に連結螺子穴２３３が螺設され、該連結螺子穴２３３を、前記一側流入口２１９と連通なさしめて側面側枠部材２１３に取付られた一側導入部材である。
【０１３７】
図１９及び図２１に示すように、２３５は、正面側枠部材２１１と一体化され円筒形ケ−シング部材２２３の高さより若干長く形成された正面側囲い部材であって、略中央部が円筒形ケ−シング部材２２３の周壁２２７と接するようにして正面側枠部２１１上に立設されている。尚、他側流入口２２９と対面する側の正面側囲い部材には、他側流入口２２９と連通なさしめた他側流入中継口２３７が設けられている。
【０１３８】
また、２３８は、側面側枠部材２１３と一体化され正面側囲い部材２３５と同様に形成されるとともに同様して側面側枠部材２１３上に立設された側面側囲い部材であり、２３９は、内側四隅が正面側囲い部材２３５、側面側囲い部材２３８それぞれの上端と接するようにして円筒形ケ−シング部材２２３上に設けられた四角形板状に形成された天井部材である。
【０１３９】
図１９及び図２１に示すように、２４０は、取付側２４０ａのみが傾斜した台形断面形状に形成され、取付側２４０ａが正面側囲い部材２３５に取付られた際に、流入中心軸２２５と一致なさしめるとともに他側流入中継口２３７を介して他側流入口２２９と連通可能なように取付側寄り中心部に導入流路２４１が設けられている一方、圧送側寄り中心部に該導入流路２４１と連通なさしめるとともに図示を周略した圧送ホ−スと連結可能となさしめた連結螺子穴２４２が螺設された他側導入部材である。
【０１４０】
図１９乃至図２１に示すように、前記した四角形箱状ケ−シング部材２２１と、円筒形ケ−シング部材２２３と、一側導入部材２３１と、他側導入部材２４０とから本実施例に係る研磨材群の乱流拡散流動構造の研磨材供給手段２４３が構成されている。尚、本実施例では正面側囲い部材２３５、側面側囲い部材２３８、天井部材２３９が付加的構成要素として必要な場合について説明したが、円筒形ケ−シング部材２４３がコップをひっくり返したような形状に形成され且つ他側導入部材２４０が円筒形ケ−シング部材の周壁に直接取付される構成の場合には不用となる。
【０１４１】
図１９に示すように、その他の構成は前記した請求項１の発明の一実施例に係る劣化触媒再生用の投射装置１と同様であって、前記した投射手段２３と、過大摩耗阻止・流動調整手段２５と、研磨材群の乱流拡散流動構造の研磨材供給手段２４３とから請求項４に記載の発明の一実施例に係る劣化触媒再生用の投射装置２４５が構成されている。
【０１４２】
つぎに、請求項４に記載の発明の一実施例の実施の形態を説明する。図２２は研磨材群が加圧空気とともに乱流拡散流動されて投射方向に流動する過程を模式的に示したものである。
【０１４３】
前記したと同様の触媒再生工事の準備をした後、コンプレッサ−等の所定の動力源を動作させると、図示を省略した一方の圧送ホ−ス中を圧送されて加圧空気とともに研磨材群が一側導入部材２３１を介して一側流入口２１９に流入する。すると、図２０及び図２２（ロ）に示すように、該一側流入口２１９から他方の側面側枠部材２１３の内壁に向けて四角形箱状ケ−シング部材２２１内に加圧空気とともに研磨材群が投射方向と異なる方向に噴射される。
【０１４４】
係る噴射により、研磨材群を含む加圧空気は、該一側流入口２１９と対面する一方の側面側枠部材２１３の内壁の一定範囲と衝突し、研磨材群は飛散する一方、加圧空気は反射する。そして、図２２（ロ）に示すように、飛散した研磨材は、隣接する一方の正面側枠部材２１１、遠方の他方の正面側枠部材２１１、又は他方の側面側枠部材２１３それぞれの内壁、あるいは一方の側面側枠部材２１３の内壁での再度の衝突と飛散を連鎖的に繰り返す。また、加圧空気は、これら枠部材それぞれの内壁での反射を繰り返すため、複雑且つ多様な乱流流動状態となる。
【０１４５】
一方、図示を省略した他方の圧送ホ−ス中を圧送されて加圧空気のみが他側導入部材２４０を介し、他側流入中継口２３７を経由して他側流入口２２９に流入する。すると、図２１及び図２２（イ）に示すように、流入当初接線方向に流入した加圧空気流は、円筒形ケ−シング部材２２３内部の円弧状の内壁２２８と接触するため、強制的に流動方向が連続的に内側に旋回される。
【０１４６】
また、旋回を開始した空気流は、後続して他側流入口２２９に流入する加圧空気により押されること、及び通過穴２１７と連通されている流出側を除いて該円筒形ケ−シング部材２２３は密閉状態にあることから、渦巻状に回転流動しながら通過穴２１７側に流動する空気流が引き起こされる。この後、円筒形ケ−シング部材２２３内を渦巻状に回転流動しながら通過穴２１７側に流動移動する。
【０１４７】
そして、円筒形ケ−シング部材２２３側から渦巻状に回転流動しながら流動移動する加圧空気流が通過穴２１７を通って四角形箱状ケ−シング部材２２１内に進入すると、図２２（ハ）に示すように、乱流状態にある加圧空気と連鎖的に衝突と飛散を繰り返す研磨材群に対して、渦巻状に回転流動しながら流動する加圧空気が、回転流動作用力と投射方向に流動移動なさしめる作用力がミックスされた複合流動作用力を付与しつつ、両流動グル−プは入り混じる。
【０１４８】
すると、図２２（ニ）に示すように、四角形箱状ケ−シング部材２２１内に、更に複雑且つ多様に乱流しつつ投射方向に流動移動する空気流が引き起こされるので、研磨材群の一部が投射空間の周辺域に回遊し、その他が中心域に回遊する等して、投射空間の周辺域にも中心域と略同一の研磨材存在密度で該加圧空気の空気流に乗って乱流拡散されながら投射方向に流動する。
【０１４９】
このようにして、研磨材群が加圧空気とともに投射方向に乱流拡散流動すると、図２２（ニ）に示すように、前記した過大摩耗阻止・流動調整手段２５に穿設された多数の流動調整穴２７それぞれに単位時間当たりの投射量のバラツキが略生じない研磨材の投射状態で、研磨材群を含む加圧空気が到達する。この後、前記したと同様の経路を経て、差込ノズル２１を介して、一の触媒ピ−ス７を構成する多数の触媒８内それぞれに、単位時間当たり投射量のバラツキが殆どない整流状態で加速された流動速度の研磨材群が加圧空気とともに投射される。
【０１５０】
尚、一側流入口２１９に加圧空気のみを他側流入口２２９に加圧空気とともに研磨材を流入させた場合には、前記したと同様にして、四角形箱状ケ−シング部材２２１内で加圧空気の乱流が生じる一方、円筒形ケ−シング部材２２３内で研磨材群が加圧空気とともに渦巻状に回転流動しながら四角形箱状ケ−シング部材２２１側に流動移動する。
【０１５１】
この後、図２２（ハ）に示すように、四角形箱状ケ−シング部材２２１内で出会って入り混じり、前記したと同様にして、研磨材群は、図２２（ニ）に示すように、加圧空気とともに乱流拡散されながら投射方向に流動する。
【０１５２】
また、本実施例では請求項１に記載の発明の一実施例に係る劣化触媒再生用の投射装置１の構成を前提とした場合について説示したが、請求項４に記載の発明はこれに限定されず、請求項２に記載の発明の一実施例に係る劣化触媒再生用の投射装置１８３の構成を前提とした場合であっても勿論適用可能であって、図１６に示すように、触媒８の損傷程度に応じて適宜選択使用された長尺差込ノズル１７７、又は中尺差込ノズル１８７を介して、一の触媒ピ−ス７Ａ、７Ｂをそれぞれ構成する多数の触媒８Ａ、８Ｂ内それぞれに、単位時間当たり投射量のバラツキが殆どない整流状態で加速された流動速度の研磨材群を加圧空気とともに投射可能である。
【０１５３】
つぎに、請求項５に記載の発明の一実施例を、図面を参照しながら説明する。図２３は請求項５に記載の発明の一実施例に係る劣化触媒再生用の投射装置を一部切り欠いて正面からみた場合を示し、図２４は同実施例に係る多角形ケ−シング部材の一例である四角形ケ−シング部材の構造と該四角形ケ−シング部材の側面に設けられた一側流入口と連通なさしめて取付られた一側導入部材の構造とを図２３のＡ−Ａ線にて切断してみた場合を示し、図２５は同実施例に係る破砕・飛散誘導部材の一例と取付構造を図２４のＡ−Ａ線にて切断し拡大してみた場合を示したたものである。
【０１５４】
図２３及び図２５に示すように、２４６は、前記した正面側枠部材２１１と同長同幅であって、上下ニ段それぞれの九箇所に一定間隔にて取付螺子穴２４７が螺設され、前記した取付部位２０７上に同様にして立設された一対の正面側枠部材である。
【０１５５】
図２４及び図２５に示すように、２５１は、正面側枠部材２４６より若干短い長さの断面半円状の破砕・飛散誘導部材であって、上下に一定間隔にて平面２５１ａから円弧状面２５１ｂに向けて一定深さの取付螺子穴２５３が螺設されている。そして、円弧状面２５１ａを後述する四角形箱状ケ−シング部材２５７の内側に向ける一方、取付螺子穴２５３を前記した正面側枠部材２４６に螺設された取付螺子穴２４７の螺設位置と一致なさしめるようにして平面２５１ｂを正面側枠部材２４５と接触させ、取付ボルト２５５により締め付けて、該破砕・飛散誘導部材２５１は、正面側枠部材２４６に取付られている。
【０１５６】
図２３及び図２４に示すように、このようにして、破砕・飛散誘導部材２５１を、一方の正面側枠部材２４６と他方の正面側枠部材２４６それぞれの上下ニ段九箇所に取付ることにより、一方と他方の正面側枠部材２４６に多数の破砕・飛散誘導部材２５１が隙間なく密集して設けられている。
【０１５７】
図２３に示すように、前記した取付部位２０７と、一対の正面側枠部材２４６と、一対の側面側枠部材２１３と、蓋部材２１５と、多数の破砕・飛散誘導部材２５１と、から多数角形箱状ケ−シング部材の一例である四角形箱状ケ−シング部材２５７が構成され、該四角形箱状ケ−シング部材２５７と、前記した円筒形ケ−シング部材２２３と、一側導入部材２３１と、他側導入部材２４０とから本実施例に係る破砕研磨材粒群の乱流拡散流動構造の研磨材供給手段２５９が構成されている。
【０１５８】
図２３に示すように、その他の構成は前記した請求項１に記載の発明の一実施例に係る劣化触媒再生用の投射装置１と同様であって、前記した投射手段２３と、過大摩耗阻止・流動調整手段２５と、破砕研磨材粒群の乱流拡散流動構造の研磨材供給手段２５９とから請求項５に記載の発明の一実施例に係る劣化触媒再生用の投射装置２６１が構成されている。
【０１５９】
つぎに、請求項５に記載の発明の一実施例の実施の形態を説明する。図２６は研磨材群が破砕されて研磨材粒群となり加圧空気とともに乱流拡散流動され、投射方向に流動される過程を模式的に示したものである。
【０１６０】
研磨材群が加圧空気とともに一側導入部材２３１を介して一側流入口２１９に流入すると、図２４及び図２６（ロ）に示すように、該一側流入口２１９から他方の側面側枠部材２１３の内壁に向けて四角形箱状ケ−シング部材２５７内に加圧空気とともに研磨材群が投射方向と異なる方向に噴射される。
【０１６１】
係る噴射により、研磨材群を含む加圧空気は前記したと同様に衝突して、研磨材群は飛散する一方、加圧空気は反射する。すると、図２２（ロ）に示すように、飛散した研磨材群は、隣接する一方の正面側枠部材２４６に取付られた破砕・飛散誘導部材２５１の円弧状面２５１ｂと衝突して弾かれる際に衝撃力を受け、一部が破砕され細かな研磨材粒となり、破砕されなかった研磨材とともに四方八方に飛散する。
【０１６２】
この後、一方若しくは他方の正面側枠部材２４６に取付られた他の破砕・飛散誘導部材２５１との衝突、あるいは一方若しくは他方の側面側枠部材２１３の内壁との衝突を連鎖的に繰り返すので、流入した研磨材は略全てが粒径の小さい研磨材粒に破砕される。
【０１６３】
一方、反射された加圧空気は、研磨材群と同様に破砕・飛散誘導部材２５１との衝突による多方向への乱反射、一方若しくは他方の側面側枠部材２１３の内壁との衝突による反射を連鎖的に繰り返すので、流入した加圧空気は乱流状態となる。この結果、四角形箱状ケ−シング部材２５７内で、研磨材粒群が、乱流状態の加圧空気の流れに乗り四方八方に飛散する流動挙動をなす。
【０１６４】
そして、図２６（イ）及び図２６（ハ）に示すように、他側流入口２２９に流入した加圧空気が、前記した如くして、円筒形ケ−シング部材２２３内で渦巻状に回転流動しながら流動移動して通過穴２１７を通って、四角形箱状ケ−シング部材２５７内に流入すると、乱流状態の加圧空気の流れに乗り四方八方に飛散している研磨材粒群に対して、前記したと同様の複合流動作用力を付与しつつ両流動グル−プは入り混じる。
【０１６５】
すると、四角形箱状ケ−シング部材２５７内で、請求項４に記載の発明の一実施例の実施の形態の項で説示した加圧空気の流動挙動より、より一層流動状態が多様に変動しつつ投射方向に流動移動する加圧空気の空気流が引き起こされることと、破砕された個々の研磨材粒は研磨材より軽量であって多様な空気流の流れの変化に敏感に反応することから、図２６（ニ）に示すように、破砕された研磨材粒群の一部が投射空間の周辺に回遊し、その他が中心域に回遊する等して、投射空間の周辺域にも中心域と略同一の研磨材粒存在密度で、破砕された研磨材粒群は、加圧空気の多様な空気流に乗って流動状態が多様に変動しながら投射方向に乱流拡散流動する。
【０１６６】
すると、前記した過大摩耗阻止・流動調整手段２５に穿設された多数の流動調整穴２７それぞれに、単位時間当たり投射量のバラツキが請求項４に記載の発明の一実施例の実施の形態の項で説示した場合より、より一層小さい破砕された研磨材粒群の投射状態で、研磨材粒を含む加圧空気が到達する。この後、前記したと同様の経路を経て、差込ノズル２１を介して、一の触媒ピ−ス７を構成する多数の触媒８内それぞれに、単位時間当たり投射量のバラツキが殆どない整流状態で加速された流動速度の研磨材粒群が加圧空気とともに投射され、どの触媒に対しても精密且つ一様な研磨作用をなす。
【０１６７】
尚、本実施例では請求項１に記載の発明の一実施例に係る劣化触媒再生用の投射装置１に記載の構成を前提とした場合について説示したが、請求項５の発明はこれに限定されず、請求項２に記載の発明の一実施例に係る劣化触媒再生用の投射装置１８３の構成を前提とした場合であっても勿論適用可能であって、図１６に示すように、触媒８の損傷程度に応じて適宜選択使用された長尺差込ノズル１７７、又は中尺差込ノズル１８７を介して、一の触媒ピ−ス７Ａ、７Ｂをそれぞれ構成する多数の触媒８Ａ、８Ｂ内それぞれに、単位時間当たり投射量のバラツキが殆どない整流状態で加速された流動速度の研磨材粒群を加圧空気とともに投射可能である。
【０１６８】
つぎに、請求項６に記載の発明の一実施例を、図面を参照しながら説明する。図２７は請求項６に記載の発明の一実施例に係る劣化触媒再生用の投射装置を一部切断して正面からみた場合を示し、図２８は同劣化触媒再生用の投射装置を構成する多数の狭小投射穴が穿設された投射手段の一例を投射側上方からみた場合を示し、図２９は同劣化触媒再生用の投射装置の投射状態を模式的に示したものである。
【０１６９】
図２７乃至図２９に示すように、２６３は、投射側２６４ａが一の触媒ピ−ス７Ｃ又は７Ｄの上面面積より小さい面積の円形平面に形成する一方、流入側２６４ｂが三角錐状に突起なさしめ中心部を厚肉に周囲部を薄肉にして中心部Ｓを頂点とした傾斜面Ｓ１をつけて形成されるとともに、多数の異なるピッチサ−クル毎に一定角度間隔にて多数の狭小投射穴２６５が流入側２６４ｂと投射側２６４ａ間とを貫いて穿設された円形投射区画部位である。
【０１７０】
また、２６７は、円形投射区画部位２６３の外周端から一定長さ外方に延伸なさしめて設けられ、流入側２６４ｂから投射側２６４ａに向けて一定深さだけ連結雄螺子穴２６９が螺設された円形連結部位である。そして、円形投射区画部位２６３と円形連結部位２６７とが一体的に構成されて本実施例に係る投射手段２７１が形成されている。
【０１７１】
図２７に示すように、２７３は、流出側２７４ａを円形連結部位２６７の外径と略同一の円形形状となす一方、流入側２７４ｂを前記した円筒形連結部位３９の外径と略同一の円形形状となし、流入側２７４ｂと流出側２７４ａ間の長さを投射手段２７１の外径の略１．５倍として、内部空間を研磨材が空気とともに後述するように流動する流動断面積が漸次広くなるよう円錐中空状に形成された流動案内部位である。尚、該流動案内部位２７３の流出側２７４ａには、連結雌螺子穴２６９と螺合可能に連結雄螺子が螺設されている。
【０１７２】
図２７に示すように、流動案内部位２７３と、前記した円錐形連結部位３９とから本実施例に係るケ−シング部材２７５が構成され、該ケ−シング部材２７５と、請求項１に記載の発明の実施例において説示した研磨材導入部材５９とから本実施例に係る投網状拡散流動構造の研磨材供給手段２７７が構成されている。そして、円形連結部位２６７に螺設された連結雌螺子穴２６９と流動案内部位２７３に突設された連結雄螺子２６９とを螺合なさしめることにより連結された、投射手段２７１と、投網状拡散流動構造の研磨材供給手段２７７とから請求項６に記載の発明の一実施例に係る劣化触媒再生用の投射装置２７９が構成されている。
【０１７３】
つぎに、本実施例の実施の形態について説明する。図２７乃至図２９に示すように、投射手段２７１を構成する円形投射区画部位２６３の投射側２６４ａの面積が一の触媒ピ−ス７Ｃ又は７Ｄの上面７ａの面積より小さく、また、円形連結部位２６７は円形投射区画部位２６３の外側端から外方に若干だけ延伸して設けられたのと、研磨材が投網状に拡散流動開始するのが研磨材導入部材５９の流出側であるため、請求項６に記載の発明の一実施例に係る劣化触媒再生用の投射装置２７９全体構成が細身にコンパクト化される。
【０１７４】
図９を参照し、また、図２９（イ）に示すように、係るコンパクト化により、作業者Ｍは、同劣化触媒再生用の投射装置２７９を携帯して、排煙脱硝装置１７５の縁部１７５Ｂや梁部材１７５Ｃ等が突き出た狭い隙間空間にも容易に入り込め、この場所に設置された触媒パック５を構成する一の触媒ピ−ス７Ｃの上面７ａに接近した位置から投射開始可能となる。
【０１７５】
つぎに、図２７及び図２９（ロ）に示すように、円形投射区画部位２６３の投射側２６４ａと、一の触媒ビ−ス７Ｄの汚Ｐが付着した一定範囲、又は、図２７及び図２９（イ）に示すように、排煙脱硝装置１７５の縁部１７５Ｂ若しくは梁部材１７５Ｃが突き出て邪魔をしているため触媒再生工事が困難な場所に配設された一の触媒ピ−ス７Ｃの一定範囲とを間近な上方空間位置にて水平に対面なさしめての再生工事の準備が整う。
【０１７６】
この後、劣化触媒の再生工事を開始すると、請求項１に記載の発明の一実施例の実施の形態の項にて説示したと同様にして、研磨材を空気とともに研磨材導入部材５９からケ−シング部材２７５を構成する流動案内部位２７３に流入し、該流動案内部位２７３の内部空間中を投網状に拡散流動して円形投射区画部位２６３の流入側２６４ｂに到達し、一部の研磨材は狭小投射穴２６５にストレ−トに流入するものの大部分の研磨材は、中心部Ｓを境として三角錐に形成され全方向が投射側２６４ａに傾斜した傾斜面Ｓ１と斜め衝突する。そして、係る斜め衝突により、研磨材は、運動エネルギ−の一部が散逸され、傾斜面Ｓ１上を周辺部Ｓ２に向け滑動し間近の狭小投射穴２６５に流動速度を大幅に減じて流入する。
【０１７７】
ついで、多数の狭小投射穴２６５それぞれの内部を、流動断面積が小さいため。研磨材同士が接触したり内壁と接触して摩擦抵抗力を受け運動エネルギ−を更に削減されながら強制的に流動帯が細められて流動速度が一層減速されつつ整流されて投射側２６４ａに流動案内される。そして、係る流動案内をされた後、研磨材は空気とともに多数の狭小投射穴２６５それぞれから、極めて多数の細投射帯となってシャワ−状に投射手段２７１から下方に投射される。係る投射により、研磨材は、単位投射面積当たりの衝突エネルギ−が大幅に減殺されて、図２９（ロ）に示すように、一の触媒ピ−ス７Ｄの上面７ａの前記した汚れＰが付着された一定範囲、図２９（イ）に示すように、施工が困難な位置に配置された一の触媒ピ−ス７Ｃの上面７ａの一定範囲と衝突する。
【０１７８】
すると、図２９に示すように、触媒８の上面を損傷させることなく、上面に付着している汚れＰは飛散され、該一定範囲は清浄な状態となる。また、多数の細投射帯の一部は触媒８の上面と衝突して上面に付着された汚れを飛散させ、その他の細投射帯は、触媒８中に流入して前記した研磨作用をなして、触媒８の触媒機能を再生させる。
【０１７９】
尚、本実施例では、投射区画部位と投射手段が円形の場合について説明したが、一の触媒パックの上面面積より小さければ、楕円形、三角形、四角形等の多角形、長方形等の種々の形状であってもよく、また、図示を省略したが、本実施例のケ−シング部材２７５が請求項３に記載の発明の一実施例において説示した研磨材導入部材１９５とから構成される投網状拡散流動構造の研磨材供給手段であっても本発明は勿論適用可能である。
【０１８０】
【発明の効果】
本発明は以上詳細に説明した如く構成されているので、下記の如く優れた効果を発揮するものである。請求項１に記載の発明の構成により、一の触媒パックを構成する一の触媒ピ−ス毎に劣化触媒再生工事を施工する方策とし、触媒パックから極めて近い位置を加圧空気とともに研磨材が投網状に拡散流動開始し得る投射構造の劣化触媒再生用の投射装置としたことから、投射装置の全体構成をコンパクトにすることが可能となり、触媒パックを排煙脱硝装置内の所定位置に設置したままで触媒機能の再生工事を施工することができる。また、流動断面積が急減して研磨材の運動量が急増する流動挙動となり物体と接触すると物体に対して強力な摩擦力を及ぼす現象を、触媒から遠く離れた投射経路の当初で生ずるように仕向ける投射構造としたことから、研磨材が触媒に流入する直前・直後の段階で触媒が損傷することがない。更に、研磨材の投網状の拡散流動により多数の差込ノズルそれぞれに対する研磨材の単位時間当たり投射量のバラツキが低減できたことと、投射経路の中間経路で流動速度を加速し一方向にのみ整然と流動するように研磨材を整流誘導し、投射経路の終端であって現実に差込ノズルから研磨材が投射される段階で投射周辺域は低投射速度であるが投射中心域は最大投射速度となる投射速度分布にて研磨材を加圧空気とともに触媒内に投射させることができる。係る著効から、全ての触媒を漏れなく、極めて短時間内に、全く損傷を生じさせることなく触媒内にコ−ティングされたように付着しているカルシウム成分を主とした触媒被毒物質を効率よく研磨除去し触媒機能の再生をはかることができる。
【０１８１】
請求項２に記載の発明の構成により、長時間の排煙脱硝のために、一の触媒ピ−スを構成する多数の触媒それぞれが様々な損傷度合いであって各触媒毎に触媒機能の再生を図る上端位置が相違しても、隣接の触媒に漏投射されずに研磨材が一の触媒ピ−スを構成する全ての触媒内に確実に投射することができることから、損傷程度が触媒毎に異なる条件下であっても、触媒に全く投射による損傷を生じさせることなく、所定の触媒機能の再生をはかることができる。
【０１８２】
請求項３に記載の発明の構成により、何人が、加圧空気とともに研磨材を投射装置内に導入しても、ケ−シング部材中を常に一定の投網状の拡散流動をなさしめることができて一の触媒パックに対する投射状況を均一に保つことができ、何人が触媒再生工事に従事しても、前記した請求項１の発明、請求項２の発明に係る種々の効果を、より一層安定且つ確実に実現することができる。
【０１８３】
請求項４に記載の発明の構成により、研磨材が加圧空気とともに流動するグル−プと加圧空気のみが流動するグル−プに分けて投射方向とは異なる方向から投射装置内に流入させ、投射装置内で、一方のグル−プについては渦巻状に回転流動なさしめながら他方のグル−プ側に流動移動させ、他方のグル−プについては投射装置内の内壁との衝突と飛散を連鎖的に生起せしめた後、両グル−プを入り混じらせて研磨材群を加圧空気とともに投射方向に向けて乱流拡散流動なさしめるようにしたことから、乱流拡散流動する周辺域にも確実に研磨材を中心域と同様に均等に回遊させることができ、乱流拡散流動する周辺域も中心域と同様の研磨材存在密度となさしめることができる。このため、乱流拡散流動域全域にわたり研磨材群を均等に投射方向に向けて乱流拡散流動なさしめることができ、多数の差込ノズルそれぞれに対する研磨材の単位時間当たり投射量のバラツキを格段に低減できる。係る顕効から、全ての触媒を漏れなく、極めて短時間内に、より一層確実に全く損傷を生じさせることなく触媒内にコ−ティングされたように付着しているカルシウム成分を主とした触媒被毒物質を研磨除去し触媒機能の再生をはかることができる。
【０１８４】
請求項５に記載の発明の構成により、研磨材が加圧空気とともに流動するグル−プと加圧空気のみが流動するグル−プに分けて投射方向とは異なる方向から投射装置内に流入させ、投射装置内で、加圧空気のみが流動するグル−プについては渦巻状に回転流動なさしめながら研磨材が加圧空気とともに流動するグル−プが流入した側に流動移動させ、研磨材が加圧空気とともに流動するグル−プについては投射装置内の内壁及び破砕・飛散誘導部材との衝突により研磨材を破砕なさしめ四方八方に飛散させるとともに加圧空気も同様の衝突により乱反射させる挙動を連鎖的に生起せしめる状態とした後、両グル−プを入り混じらせて略全ての研磨材群が破砕された結果生じた研磨材粒群を、加圧空気とともに投射方向に乱流拡散流動なさしめるようにしたことから、軽量なため加圧空気の流動挙動に敏感に反応する研磨材粒を、乱流拡散流動する周辺域にも確実に中心域と同様に均等に回遊させることができ、乱流拡散流動する周辺域も中心域と同様の研磨材粒存在密度となさしめることができる。このため、乱流拡散流動域全域にわたり研磨材粒群を均等に投射方向に向けて乱流拡散流動なさしめることができ、多数の差込ノズルそれぞれに対する研磨材粒の単位時間当たり投射量のバラツキが低減され、しかも個々の研磨材粒を多様な流動挙動となさしめた状態で差込ノズルを介して触媒内に投射することができる。係る著効から、ソフトタッチであるが破砕されて粒面が鋭敏であって様々な方向から研磨作用をなす個々の触媒材粒が、どの触媒内にコ−ティングされたように付着しているカルシウム成分を主とした触媒被毒物質の研磨除去を等しくなすことができ、極めて短時間内に、損傷し易い触媒であっても全く損傷なさしめることなく、全ての触媒の触媒機能の再生を漏れなくはかることができる。
【０１８５】
請求項６に記載の発明の構成により、投射手段の投射側の面積を触媒ピ−スの上面の面積より小さくするとともに、研磨材を投射する前段階において、触媒パックの上面から極めて近い位置から空気とともに研磨材が投網状に拡散流動開始し得る構造として劣化触媒再生用の投射装置の全体構造がコンパクト化されたので、作業者は劣化触媒再生用の投射装置を携帯して、排煙脱硝装置の縁部や梁部材等が突き出た狭い隙間空間にも容易に入り込め、研磨材の投射等の触媒再生工事を施工することができる。また、加圧空気とともに圧送され多大な運動エネルギ−が付与された研磨材を、投射区画部位の流入側の傾斜面で受け止めて運動エネルギ−の一部を散逸なさしめる運動エネルギ−の第一段の削減と、続いて研磨材を多数の狭小投射穴それぞれの中を投射側に向けて流動なさしめる間での、狭小投射穴内壁と接触すること及び研磨材相互と接触することにより摩擦抵抗力を受けて運動エネルギ−の第二段の削減がなされるので、付与された運動エネルギ−を大幅に削減して多数の狭小投射穴それぞれから投射することができる。このため、連続供給される研磨材は、極めて多数の細投射帯となってシャワ−状に投射され、単位投射面積当たりの衝突エネルギ−が大幅に減殺されて触媒ピ−スの上面と衝突するので、触媒ピ−スには何らの損傷を与えることなく付着した汚れのみを除去することができる。また、投射時間を長めにして、触媒ピ−スの上面に研磨材を投射するとともに触媒内にも研磨材を投射すると、触媒ピ−スには何らの損傷を生じさせることなく、上面に付着した汚れの除去と劣化した触媒機能の再生をはかることができる。
【図面の簡単な説明】
【図１】  請求項１に記載の発明の一実施例に係る劣化触媒再生用の投射装置を示した正面図である。
【図２】  投射部材の一例を示した平面図である。
【図３】  差込ノズルの一例を示した拡大斜視図である。
【図４】  差込ノズルがノズル取付穴に脱着可能に装着されたているとともに投射部材と過大摩耗阻止・流動調整手段及びケ−シング部材とが連結されている状態を示した一部省略拡大断面図である。
【図５】  ケ−シング部材の一例を示した斜視図である。
【図６】  投網状流動拡散構造の研磨材供給手段の一例を示した一部切欠き断面図である。
【図７】  触媒パックの構成の一例を示した一部切欠き斜視図である。
【図８】  研磨材送給装置の一例を示した正面図である。
【図９】  劣化触媒再生工事システムの一例を示した模式図である。
【図１０】  請求項１に記載の発明の一実施例に係る劣化触媒再生用の投射装置が劣化触媒再生工事システムの圧送下流側端位置に配置された状態を示した斜視図である。
【図１１】  研磨材連続定量落流機構を示した拡大断面図である。
【図１２】  研磨材連続圧送部材を示した拡大斜視図である。
【図１３】  研磨材が空気とともに流動調整穴内に流入する段階から流動調整穴と差込ノズル内を順次流動した後に差込ノズルから触媒内に向けて投射されるに至るまでの研磨材の流動挙動を示した模式図である。
【図１４】  請求項２に記載の発明の一実施例に係る劣化触媒再生用の投射装置を示した正面図である。
【図１５】  長尺差込ノズルがノズル取付穴に脱着可能に装着されているとともに投射部材と過大摩耗阻止・流動調整手段及びケ−シング部材とが連結された状態を示した一部省略拡大断面図である。
【図１６】  触媒の損傷の有無と損傷の程度に応じて使用する差込ノズルを選択する基準を示した模式図である。
【図１７】  請求項３に記載の発明の一実施例に係る劣化触媒再生用の投射装置を示した正面図である。
【図１８】  投網状流動拡散構造の研磨材供給手段の他の例を示した一部省略拡大断面図である。
【図１９】  請求項４に記載の発明の一実施例に係る劣化触媒再生用の投射装置を示した一部切り欠き正面図である。
【図２０】  同実施例に係る多角形ケ−シング部材の一例である四角形ケ−シング部材の構造と、該四角形ケ−シング部材の側面側に設けられた一側流入口と連通なさしめて取付られた一側導入部材の構造とを示した、図１９のＡ−Ａ線での切断による断面図である。
【図２１】  同実施例に係る円筒形ケ−シング部材の一例の構成と、該円筒形ケ−シング部材の周壁に設けられた他側流入口と連通なさしめて取付られた他側導入部材の構造とを示した、図１９のＢ−Ｂ線での切断による断面図である。
【図２２】  研磨材群が加圧空気とともに乱流拡散流動されて投射方向に流動される過程を示した模式図である。
【図２３】  請求項５に記載の発明の一実施例に係る劣化触媒再生用の投射装置を示した一部切り欠き正面図である。
【図２４】  同実施例に係る多角形ケ−シング部材の一例である四角形ケ−シング部材の構造と、該四角形ケ−シング部材の側面に設けられた一側流入口と連通なさしめて取付られた一側導入部材の構造とを示した、図２３のＡ−Ａ線での切断による断面図である。
【図２５】  同実施例に係る破砕・飛散誘導部材の一例と取付構造を示した、図２４のＡ−Ａ線での切断による拡大断面図である。
【図２６】  研磨材群が破砕されて研磨材粒群となり加圧空気とともに乱流拡散流動され、投射方向に流動される過程を示した模式図である。
【図２７】  請求項６に記載の発明の一実施例に係る劣化触媒再生用の投射装置を示した一部切断正面図である。
【図２８】  同劣化触媒再生用の投射装置を構成する多数の狭小投射穴が穿設された投射手段の一例を示した平面図である。
【図２９】  同劣化触媒再生用の投射装置の投射状態を示した模式図である。
【符号の説明】
１       請求項１に記載の発明の一実施例に係る劣化触媒再生用の投射装置
５       触媒パック
７       触媒ピ−ス
１５     投射部材
２１     差込ノズル
２３     投射手段
２５     過大摩耗阻止・流動調整手段
２７     流動調整穴
４３     ケ−シング部材
５１     回動子
５５     振り子状に回動自在な軸受部材
５９     研磨材導入部材
６９     投網状拡散流動構造の研磨材供給手段
８５     研磨材収容容器
１１７   ロ−タリ−フィダ−
１１９   モ−タ
１２５   回転数検知部
１２７   研磨材連続定量落流機構
１６５   研磨材送給装置
１６７   コンプレッサ−
１７３   劣化触媒再生工事システム
１７７   長尺差込ノズル
１８１   投射手段
１８３   請求項２に記載の発明の一実施例に係る劣化触媒再生用の投射装置
１８７   中尺差込ノズル
１９５   研磨材導入部材
２０３   投網状拡散流動構造の研磨材供給手段
２０５   請求項３に記載の発明の一実施例に係る劣化触媒再生用の投射装置
２２１   四角形箱状ケ−シング部材
２２３   円筒形ケ−シング部材
２３１   一側導入部材
２４０   他側導入部材
２４３   研磨材群の乱流拡散流動構造の研磨材供給手段
２４５   請求項４の発明の一実施例に係る劣化触媒再生用の投射装置
２５１   破砕・飛散誘導部材
２５７   四角形箱状ケ−シング部材
２５９   破砕研磨材粒群の乱流拡散流動構造の流動研磨材供給手段
２６１   請求項５に記載の発明の一実施例に係る劣化触媒再生用の投射装置
２６５   狭小投射穴
２７１   投射手段
２７７   投網状拡散流動構造の研磨材供給手段
２７９   請求項６に記載の発明の一実施例に係る劣化触媒再生用の投射装置
【図１】
0004072578.tif 000002
【図２】
0004072578.tif 000003
【図３】
0004072578.tif 000004
【図４】
0004072578.tif 000005
【図５】
0004072578.tif 000006
【図６】
0004072578.tif 000007
【図７】
0004072578.tif 000008
【図８】
0004072578.tif 000009
【図９】
0004072578.tif 000010
【図１０】
0004072578.tif 000011
【図１１】
0004072578.tif 000012
【図１２】
0004072578.tif 000013
【図１３】
0004072578.tif 000014
【図１４】
0004072578.tif 000015
【図１５】
0004072578.tif 000016
【図１６】
0004072578.tif 000017
【図１７】
0004072578.tif 000018
【図１８】
0004072578.tif 000019
【図１９】
0004072578.tif 000020
【図２０】
0004072578.tif 000021
【図２１】
0004072578.tif 000022
【図２２】
0004072578.tif 000023
【図２３】
0004072578.tif 000024
【図２４】
0004072578.tif 000025
【図２５】
0004072578.tif 000026
【図２６】
0004072578.tif 000027
【図２７】
0004072578.tif 000028
【図２８】
0004072578.tif 000029
【図２９】
0004072578.tif 000030